(57)【要約】【課題】フットウェアの中に粒子状発泡体の移行を制限する要素とともに粒子状発泡体が組み込まれているフットウェアを提供する。【解決手段】フットウェアは、アッパーと、アウトソールと、アッパーとアウトソールとの間に配設されているミッドソールとを備える。アウトソールは、アッパーに取り付けられ、地面係合表面を有する。ミッドソールは、ミッドソールの長手方向軸に実質的に垂直に、およびミッドソールの全長に沿って延在する一連のチャンネルを画成する一連の壁を有する。一連のチャンネルは互いに分離され、各チャンネルは一定量の粒子状物質を中に受け入れる。【選択図】図２
2020114534.tif 000002
【特許請求の範囲】
【請求項１】
アッパーと、
前記アッパーに取り付けられ、地面係合表面を備えるアウトソールと、
ミッドソールであって、前記アッパーと前記アウトソールとの間に配設されるとともに、前記ミッドソールの全長に沿って前記ミッドソールの長手方向軸に略垂直に延在する一連のチャンネルを画成する一連の壁を備えるミッドソールにおいて、前記一連のチャンネルが互いに分離され、各チャンネルが一定量の粒子状物質を中に受け入れる、ミッドソールと、
を備えるフットウェア。
【請求項２】
前記粒子状物質は、各チャンネルの長手方向軸に沿って前記ミッドソールの前記長手方向軸に略垂直な方向に移動することを可能とされる、請求項１に記載のフットウェア。
【請求項３】
前記粒子状物質は、前記壁によって前記ミッドソールの前記長手方向軸に略平行な方向にチャンネル間を移動することを制限される、請求項１または２に記載のフットウェア。
【請求項４】
前記チャンネルは略円形の断面を備える、請求項１から３のいずれか一項に記載のフットウェア。
【請求項５】
前記チャンネルは略三角形の断面を備える、請求項１から４のいずれか一項に記載のフットウェア。
【請求項６】
前記チャンネルは互いに重なり合う、請求項１から５のいずれか一項に記載のフットウェア。
【請求項７】
前記粒子状物質は発泡ビーズを含む、請求項１から６のいずれか一項に記載のフットウェア。
【請求項８】
前記発泡ビーズは略球形の形状を備える、請求項７に記載のフットウェア。
【請求項９】
前記発泡ビーズは略同じサイズおよび形状を備える、請求項７に記載のフットウェア。
【請求項１０】
前記発泡ビーズは、異なるサイズおよび形状のうちの少なくとも一方を備える、請求項７に記載のフットウェア。
【請求項１１】
アッパーと、
前記アッパーに取り付けられ、地面係合表面を備えるアウトソールと、
ミッドソールであって、前記アッパーと前記アウトソールとの間に配設されるとともに、前記ミッドソールの長手方向軸に略垂直に延在する一連のチャンネルを画成する一連の壁を備え、前記一連のチャンネルは前記長手方向軸に略平行な方向において互いに重なり、各チャンネルは一定量の粒子状物質を中に受け入れる、ミッドソールと、
を備えるフットウェア。
【請求項１２】
前記粒子状物質は、各チャンネルの長手方向軸に沿って前記ミッドソールの前記長手方向軸に略垂直な方向に移動することを可能とされる、請求項１１に記載のフットウェア。
【請求項１３】
前記粒子状物質は、前記壁によって前記ミッドソールの前記長手方向軸に略平行な方向にチャンネル間を移動することを制限される、請求項１１または１２に記載のフットウェア。
【請求項１４】
前記チャンネルは略三角形の断面を備える、請求項１１から１３のいずれか一項に記載のフットウェア。
【請求項１５】
前記一連のチャンネルのうちの少なくとも１つは、前記一連のチャンネルの対と重なり合う、請求項１１から１４のいずれか一項に記載のフットウェア。
【請求項１６】
前記一連のチャンネルのうちの前記少なくとも１つは、前記一連のチャンネルの前記対の間に配設される、請求項１５に記載のフットウェア。
【請求項１７】
前記粒子状物質は発泡ビーズを含む、請求項１１から１６のいずれか一項に記載のフットウェア。
【請求項１８】
前記発泡ビーズは略球形の形状を備える、請求項１７に記載のフットウェア。
【請求項１９】
前記発泡ビーズは略同じサイズおよび形状を備える、請求項１７に記載のフットウェア。
【請求項２０】
前記発泡ビーズは、異なるサイズおよび形状のうちの少なくとも一方を備える、請求項１７に記載のフットウェア。
【請求項２１】
アッパーと、
アウトソールであって、前記アッパーに取り付けられるとともに、地面係合表面と、前記アウトソールの前記地面係合表面の反対側に配設されている内面と、を備えるアウトソールと、
前記アッパーと前記アウトソールとの間に配設されるとともに、前記アッパーに対向する頂面と、前記アウトソールの前記内面に対向する底面と、を備える、フットベッドと、
前記アッパーと前記アウトソールとの間に配設されるとともに、前記アウトソールの前記内面と前記フットベッドの前記底面との間に延在する繊維を備え、前記繊維が、前記長手方向軸に略垂直に前記長手方向軸に沿って延在する第１の一連のチャンネルを画成するように連携する、ミッドソールと、
前記第１の一連のチャンネル内に受け入れられる一定量の粒子状物質と、
を備えるフットウェア。
【請求項２２】
前記一定量の粒子状物質は、前記第１の一連のチャンネルのうちの隣接するチャンネル間を、前記繊維のうちの隣接する繊維間に配置される空隙を通して前記長手方向軸に略平行な方向に移動するように動作可能である、請求項２１に記載のフットウェア。
【請求項２３】
前記粒子状物質は、前記第１の一連のチャンネルの各々の長手方向軸に沿って前記ミッドソールの前記長手方向軸に略垂直な方向に移動することを可能とされる、請求項２１に記載のフットウェア。
【請求項２４】
前記粒子状物質は、前記繊維によって、隣接するチャンネル間を前記ミッドソールの前記長手方向軸に略平行な方向に自由に移動することを制限される、請求項２１から２３のいずれか一項に記載のフットウェア。
【請求項２５】
前記チャンネルは略矩形の断面を備える、請求項２１から２４のいずれか一項に記載のフットウェア。
【請求項２６】
前記チャンネルは略三角形の断面を備える、請求項２１から２５のいずれか一項に記載のフットウェア。
【請求項２７】
前記チャンネルは互いに重なり合う、請求項２１から２６のいずれか一項に記載のフットウェア。
【請求項２８】
前記粒子状物質は発泡ビーズを含む、請求項２１から２７のいずれか一項に記載のフットウェア。
【請求項２９】
前記発泡ビーズは略球形の形状を備える、請求項２８に記載のフットウェア。
【請求項３０】
前記発泡ビーズはほぼ同じサイズおよび形状を備える、請求項２８に記載のフットウェア。
【請求項３１】
前記発泡ビーズは、異なるサイズおよび形状のうちの少なくとも一方を備える、請求項２８に記載のフットウェア。
【請求項３２】
前記第１の一連のチャンネルのうちの１つの中に配設され、前記ミッドソールの前記長手方向軸に略垂直に延在する壁をさらに備え、前記壁は前記粒子状物質が中を通過することを妨げる、請求項２１に記載のフットウェア。
【請求項３３】
フットウェア製品を製作する方法であって、
フットベッドとアウトソールとの間に空洞を設けるステップと、
前記空洞に、前記空洞内に第１の一連のチャンネルを画成する第１の一連の壁を設けるステップであって、前記第１の一連のチャンネルは前記アウトソールの長手方向軸に略垂直に延在するとともに、前記長手方向軸に略平行な方向において互いに重なり合う、ステップと、
前記第１の一連のチャンネルに一定量の粒子状物質を供給するステップと、
を含む方法。
【請求項３４】
前記第１の一連のチャンネルを画成するステップは、前記第１の一連のチャンネルに略円形の断面を設けるステップを含む、請求項３３に記載の方法。
【請求項３５】
前記第１の一連のチャンネルを画成するステップは、前記第１の一連のチャンネルに略三角形の断面を設けるステップを含む、請求項３３に記載の方法。
【請求項３６】
前記第１の一連のチャンネルを画成するステップは、前記第１の一連のチャンネルを前記長手方向軸に略平行な方向において重ね合わせるステップを含む、請求項３３から３５のいずれか一項に記載の方法。
【請求項３７】
前記第１の一連のチャンネルに一定量の粒子状物質を供給するステップは、一定量の発泡ビーズを供給するステップを含む、請求項３３から３６のいずれか一項に記載の方法。
【請求項３８】
前記第１の一連のチャンネルに前記一定量の発泡ビーズを供給するステップは、前記第１の一連のチャンネルに略球状の形状を有する一定量の発泡ビーズを供給するステップを含む、請求項３７に記載の方法。
【請求項３９】
前記第１の一連のチャンネルに前記一定量の発泡ビーズを供給するステップは、前記第１の一連のチャンネルに異なるサイズおよび形状のうちの少なくとも一方を備える一定量の発泡ビーズを供給するステップを含む、請求項３７に記載の方法。
【発明の詳細な説明】
【技術分野】
【０００１】
関連出願の相互参照
本出願は、それらの開示の全体が参照により本明細書に組み込まれている２０１５年９月２４日に出願した米国仮出願第６２／２２２，８２２号、２０１５年９月２４日に出願した米国仮出願第６２／２２２，８７３号、２０１５年９月２４日に出願した米国仮出願第６２／２２２，８５１号、２０１５年９月２４日に出願した米国仮出願第６２／２２２，８４２号、２０１５年９月２４日に出願した米国仮出願第６２／２２２，８３２号、および２０１５年９月２４日に出願した米国仮出願第６２／２２２，８１６号の優先権を主張するものである。
【０００２】
本開示は、フットウェアの中に粒子状発泡体の移行を制限する要素とともに粒子状発泡体が組み込まれているフットウェアに関する。
【背景技術】
【０００３】
この項では、必ずしも従来技術ではない本開示に関係する背景情報を提示する。
【０００４】
フットウェアは、伝統的に、アッパーとソール構造とを備えている。アッパーは、足をソール構造に受け入れ、固定し、支持するのに適した材料から形成され得る。アッパーは、レース、ストラップ、または他のファスナーと連携して、足の周りのアッパーのフィット具合を調整し得る。足の底面の近くの、アッパーの底部分は、ソール構造に付着する。
【０００５】
ソール構造は、一般的に、地面とアッパーとの間に延在する重層配置構成を備える。ソール構造の１つの層は、耐摩耗性および地面とのトラクションをもたらすアウトソールを備える。アウトソールは、耐久性および耐摩耗性を付与し、さらには地面とのトラクションを強化するゴムまたは他の材料から形成され得る。ソール構造の別の層は、アウトソールとアッパーとの間に配設されたミッドソールを備える。ミッドソールは、足に対する衝撃緩衝性をもたらし、一般的に、地面反力を減衰させることによって足への衝撃を緩衝するために加荷重の下で弾性的に圧縮するポリマー発泡材料から少なくとも部分的に形成される。ミッドソールは、アウトソールに対向する一方の側に底面を、反対側に、足の底面のプロフィールに形状適合するように起伏を付けられ得るフットベッドを画成し得る。ソール構造は、アッパーの底部分の近くの空隙内に配置される快適さを高めるインソールまたはソックライナーも備え得る。
【０００６】
ポリマー発泡体材料を使用するミッドソールは、一般的に、ウォーキングまたはランニング動作などにおいて、加荷重下で弾性的に圧縮する単一スラブとして構成される。一般的に、単一スラブポリマー発泡体は、スラブが勾配荷重の下で圧縮するときの柔軟性および応答性に関係する緩衝特性のバランスをとることを重視して設計される。柔らかすぎる衝撃緩衝性をもたらすポリマー発泡体は、ミッドソールの圧縮性およびミッドソールが繰り返し圧縮を受けた後に地面反力を減衰させる能力を減少させる。逆に、堅すぎる、したがって非常に応答性のよいポリマー発泡体は柔軟性を犠牲にし、その結果、快適さが失われることになる。ポリマー発泡体のスラブの異なる領域は、全体としてスラブの柔軟性と応答性とのバランスをとるために密度、硬度、エネルギー収支、および材料選択の点で異なることがあり得るが、柔軟性から応答性へと勾配を付けられた荷重を有するポリマー発泡体の単一スラブを作製することは、達成しがたい。
【０００７】
本明細書で説明されている図面は、選択された構成を例示することのみを目的とし、本開示の範囲を制限することを意図していない。
【図面の簡単な説明】
【０００８】
【図１】本開示の原理によるフットウェアの上面斜視図である。
【図２】一定量の粒子状物質を受け入れるように各々構成されている一連のチャンネルを画成する一連の壁を有するミッドソールを示す図１のフットウェアの分解図である。
【図３】一定量の粒子状物質を受け入れるように各々構成されている一連のチャンネルを画成する一連の壁を有するミッドソールを示す図１の直線３−３に沿って切り取った断面図である。
【図４】本開示の原理によるフットウェアの上面斜視図である。
【図５】一定量の粒子状物質を受け入れるように各々構成されている一連のチャンネルを画成する一連の壁を有するミッドソールを示す図４のフットウェアの分解図である。
【図６】一定量の粒子状物質を受け入れるように各々構成されている一連のチャンネルを画成する一連の壁を有するミッドソールを示す図４の直線６−６に沿って切り取った断面図である。
【図７】本開示の原理によるフットウェアの上面斜視図である。
【図８】一連のチャンネルを画成する一連の壁とその一連のチャンネル内の、ミッドソールの底面と頂面との間に置かれる一定量の粒子状物質とを有するミッドソールを示す図７のフットウェアの分解図である。
【図９】一連のチャンネルを画成する一連の壁とその一連のチャンネル内の、ミッドソールの底面と頂面との間に置かれる一定量の粒子状物質とを有するミッドソールを示す図７の直線９−９に沿って切り取った断面図である。
【図１０】本開示の原理によるフットウェアの上面斜視図である。
【図１１】第１の一連のチャンネルを画成する第１の一連の壁と第２の一連のチャンネルを画成する第２の一連の壁とを有するミッドソールを示す図１０の直線１１−１１に沿って切り取った断面図である。
【図１２】本開示の原理によるフットウェアの上面斜視図である。
【図１３】フットベッドの底面およびアウトソールの内面から延在し一連のチャンネルを画成する一連の壁を備えるミッドソールを示す図１２のフットウェアの分解図である。
【図１４】フットベッドの底面およびアウトソールの内面から延在するミッドソールの一連のチャンネルのうちの各々１つの中に置かれる粒子状物質を示す図１２の直線１４−１４に沿って切り取った断面図である。
【図１５】本開示の原理によるフットウェアの上面斜視図である。
【図１６】アウトソールの内面から延在するミッドソールの下側の一連のチャンネルのうちの各々１つの中に置かれる粒子状物質を示す図１５の直線１６−１６に沿って切り取った断面図である。
【図１７】本開示の原理によるフットウェアの上面斜視図である。
【図１８】フットベッドの底面から延在するミッドソールの上側の一連のチャンネルのうちの各々１つの中に置かれる粒子状物質を示す図１７の直線１８−１８に沿って切り取った断面図である。
【図１９】本開示の原理によるフットウェアの上面斜視図である。
【図２０】各々一定量の粒子状物質を受け入れる１つまたは複数の局部的チャンネルを画成する一連の壁を備えるミッドソールを示す図１９のフットウェアの分解図である。
【図２１】各々一定量の粒子状物質を受け入れる１つまたは複数の局部的チャンネルを画成する一連の壁を備えるミッドソールを示す図１９のフットベッドの底面斜視図である。
【図２２】各々一定量の粒子状物質を受け入れる１つまたは複数の局部的チャンネルを画成する一連の壁を備えるミッドソールを示す図１９の直線２２−２２に沿って切り取った断面図である。
【図２３】本開示の原理によるフットウェアの上面斜視図である。
【図２４】一定量の粒子状物質を受け入れる一連のチャンネルを画成する一連の壁を各々備えるインソールおよびミッドソールを有するソール構造を示す図２３の直線２４−２４に沿って切り取った断面図である。
【図２５】本開示の原理によるフットウェアの上面斜視図である。
【図２６】一定量の粒子状物質を受け入れる一連のチャンネルを画成する一連の壁を各々備えるインソールおよびミッドソールを有するソール構造を示す図２５の直線２６−２６に沿って切り取った断面図である。
【図２７】本開示の原理によるフットウェアの上面斜視図である。
【図２８】一定量の粒子状物質を受け入れる一連のチャンネルを画成する一連の壁を各々備えるインソールおよびミッドソールを有するソール構造を示す図２７の直線２８−２８に沿って切り取った断面図である。
【図２９】本開示の原理によるフットウェアの上面斜視図である。
【図３０】一定量の粒子状物質を受け入れる一連のチャンネルを画成する一連の壁を各々備えるインソールおよびミッドソールを有するソール構造を示す図２９の直線３０−３０に沿って切り取った断面図である。
【図３１】本開示の原理によるフットウェアの上面斜視図である。
【図３２】一定量の粒子状物質を受け入れる一連のチャンネルを画成する一連の壁を備えるインソールおよびポリマー発泡体のスラブを含むミッドソールを有するソール構造を示す図３１の直線３２−３２に沿って切り取った断面図である。
【図３３】本開示の原理によるフットウェアの上面斜視図である。
【図３４】一定量の粒子状物質を受け入れる一連のチャンネルを画成する一連の壁を備えるインソールおよびポリマー発泡体のスラブを含むミッドソールを有するソール構造を示す図３３の直線３４−３４に沿って切り取った断面図である。
【図３５】本開示の原理によるフットウェアの上面斜視図である。
【図３６】一定量の粒子状物質を受け入れる一連のチャンネルを画成する一連の壁を備えるインソールおよびポリマー発泡体のスラブを含むミッドソールを有するソール構造を示す図３５の直線３６−３６に沿って切り取った断面図である。
【図３７】本開示の原理によるフットウェアの上面斜視図である。
【図３８】一定量の粒子状物質を受け入れる一連のチャンネルを画成する一連の壁を備えるインソールおよびポリマー発泡体のスラブを含むミッドソールを有するソール構造を示す図３７の直線３８−３８に沿って切り取った断面図である。
【図３９】本開示によるフットウェアの上面斜視図である。
【図４０】一定量の粒子状物質を各々受け入れる一連のチャンネルを画成する一連のチューブを有するミッドソールを示す図３９の直線４０−４０に沿って切り取った断面図である。
【図４１】本開示によるフットウェアの上面斜視図である。
【図４２】一定量の粒子状物質を各々受け入れる一連のチャンネルを画成する一連のチューブを有するミッドソールを示す図４１の直線４２−４２に沿って切り取った断面上面図である。
【図４３】本開示によるフットウェアの上面斜視図である。
【図４４】一定量の粒子状物質を各々受け入れる一連のチャンネルを画成する一連のチューブを有するミッドソールを示す図４３の直線４４−４４に沿って切り取った断面上面図である。
【発明を実施するための形態】
【０００９】
対応する参照番号は、図面全体を通して対応部分を指示している。
【００１０】
次に、例示的な構成が、添付図面を参照しつつ、より完全に説明される。例示的な構成は、本開示が完全なものとなるように、また本開示の範囲が当業者に完全に伝わるように提示されている。本開示の構成を完全に理解できるように特定の構成要素、デバイス、および方法の例などの特定の詳細が述べられている。当業者には、特定の詳細が使用される必要がないこと、例示的な構成が多くの異なる形態で具現化され得ること、ならびに特定の詳細および例示的な構成が本開示の範囲を制限すると解釈されるべきでないことは明らかであろう。
【００１１】
本明細書で使用されている用語は、特定の例示的な構成のみを説明することを目的としており、本発明の範囲を制限することを意図していない。本明細書で使用されているように、「１つの（または使わない場合もある）」および「その（使わない場合もある）」（英語原文の単数形の冠詞「ａ」、「ａｎ」、および「ｔｈｅ」）は、文脈上明らかにそうでないことを示していない限り、複数形も含むことが意図され得る。「備える」、「備えている」、「含んでいる」、および「有している」という言い回しは包含的なものであり、したがって、特徴、ステップ、動作、要素、および／または構成要素の存在を指定するが、１つまたは複数の他の特徴、ステップ、動作、要素、構成要素、および／またはそれらからなる群の存在もしくは追加を除外しない。本明細書で説明されている方法ステップ、プロセス、および動作は、特に実行順序として識別されていない限り、説明または例示されている特定の順序でそれを実行することを必ず必要とすると解釈されるべきでない。追加の、または代替的なステップが使用されてよい。
【００１２】
要素または層が、別の要素または層に「載っている」、「係合されている」、「接続されている」、「取り付けられている」、または「結合されている」と言うときに、これは、直接他の要素もしくは層に直接載る、係合される、接続される、取り付けられる、もしくは結合され得るか、または介在する要素もしくは層が存在し得る。対照的に、要素が、別の要素または層に「直接載る」、「直接係合される」、「直接接続される」、「直接取り付けられる」、または「直接結合される」と言うときに、介在する要素または層は存在し得ない。要素間の関係を説明するために使用される他の単語は、類似の仕方で解釈されるべきである（たとえば、「間にある」対「直接的に間にある」、「隣接する」対「直接的に隣接する」など）。本明細書で使用されているように、「および／または」という言い回しは、関連する列挙されている項目のうちの１つまたは複数の、ありとあらゆる組合せを含む。
【００１３】
第１の、第２の、第３の、などの言い回しは、本明細書において、様々な要素、構成要素、領域、層、および／またはセクションを説明するために使用され得る。これらの要素、構成要素、領域、層、および／またはセクションは、これらの語に限定されるべきでない。これらの語は、１つの要素、構成要素、領域、層、またはセクションを別の領域、層、またはセクションから区別するためにのみ使用され得る。「第１の」、「第２の」、および数を表す他の語などの語は、文脈によって明確に示されていない限り順序または順番を意味しない。したがって、以下で説明されている第１の要素、構成要素、領域、層、またはセクションは、例示的な構成の教示から逸脱することなく第２の要素、構成要素、領域、層、またはセクションと称されることも可能である。
【００１４】
開示の一態様は、アッパー、アウトソール、およびミッドソールを有するフットウェアを実現する。アウトソールは、アッパーに取り付けられ、地面係合表面を備える。ミッドソールは、アッパーとアウトソールとの間に配設され、ミッドソールの長手方向軸に実質的に垂直に、ミッドソールの全長に沿って延在する一連のチャンネルを画成する一連の壁を備える。一連のチャンネルは互いに分離され、各チャンネルは一定量の粒子状物質を中に受け入れる。
【００１５】
本開示の実装形態は、次のオプションの特徴のうちの１つまたは複数を含み得る。いくつかの実装形態において、粒子状物質は、ミッドソールの長手方向軸に実質的に垂直な方向で各チャンネルの長手方向軸に沿って移動することを許される。それに加えて、または代替的に、粒子状物質は、壁によってミッドソールの長手方向軸に実質的に平行な方向にチャンネル間を移動するのを制限され得る。いくつかのシナリオでは、チャンネルは、実質的に円形の断面を備え得るが、他のシナリオでは、チャンネルは、実質的に三角形の断面を備え得る。いくつかの例では、チャンネルは、互いに重なり合う。
【００１６】
いくつかの例において、粒子状物質は、発泡ビーズを含む。発泡ビーズは、実質的に球状の形状を備え得る。発泡ビーズは、おおよそ同じサイズおよび形状を含み得るか、または異なるサイズおよび形状のうちの少なくとも１つを含み得る。
【００１７】
本開示の別の態様は、アッパーと、アッパーに取り付けられ、地面係合表面を含むアウトソールと、アッパーとアウトソールとの間に配設されているミッドソールとを有するフットウェアを実現する。ミッドソールは、ミッドソールの長手方向軸に実質的に垂直に延在する一連のチャンネルを画成する一連の壁を備える。一連のチャンネルは、長手方向軸に実質的に平行な方向に互いに重なり、各チャンネルは、一定量の粒子状物質を中に受け入れる。
【００１８】
この態様は、以下のオプションの特徴のうちの１つまたは複数を含み得る。適宜、粒子状物質は、ミッドソールの長手方向軸に実質的に垂直な方向で各チャンネルの長手方向軸に沿って移動することを許される。それに加えて、または代替的に、壁は、粒子状物質がミッドソールの長手方向軸に実質的に平行な方向にチャンネル間を移動するのを制限し得る。いくつかの例において、チャンネルは、実質的に三角形の断面を備える。適宜、一連のチャンネルのうちの少なくとも１つは、一連のチャンネルの対と重なり合う。
【００１９】
いくつかの例において、粒子状物質は、発泡ビーズを含む。発泡ビーズは、実質的に球状の形状を備え得る。発泡ビーズは、おおよそ同じサイズおよび形状を含み得るか、または異なるサイズおよび形状のうちの少なくとも１つを含み得る。
【００２０】
本開示のさらに別の態様は、フットウェアは、アッパーと、アウトソールと、アッパーとアウトソールとの間に配設されているフットベッドと、アッパーとアウトソールとの間に配設されているミッドソールとを備える。アウトソールは、アッパーに取り付けられ、地面係合表面と、アウトソールの対向側上に配設される内面とを備える。フットベッドは、アッパーに対向する頂面と、アウトソールの内面に対向する底面とを備える。ミッドソールは、アウトソールの内面とフットベッドの底面との間に延在する繊維を備える。繊維は、長手方向軸に沿って、長手方向軸に実質的に垂直に延在する第１の一連のチャンネルを画成するように連携する。一定量の粒子状物質が、第１の一連のチャンネル内に受け入れられる。
【００２１】
この態様は、以下のオプションの特徴のうちの１つまたは複数を含み得る。いくつかの例において、この一定量の粒子状物質は、繊維のうちの隣接する繊維の間に配置される空隙を通して長手方向軸に実質的に平行な方向に第１の一連のチャンネルのうちの隣接するチャンネル間を移動する。いくつかの実装形態において、粒子状物質は、ミッドソールの長手方向軸に実質的に垂直な方向で第１の一連のチャンネルの各々の長手方向軸に沿って移動することを許される。繊維は、粒子状物質がミッドソールの長手方向軸に実質的に平行な方向に隣接するチャンネルの間を自由に移動するのを制限し得る。いくつかの例では、チャンネルは、実質的に矩形の断面を備えるが、他の例では、チャンネルは、実質的に三角形の断面を備える。それに加えて、または代替的に、チャンネルは、互いに重なり合うものとしてよい。いくつかの実装形態において、フットウェアは、ミッドソールの長手方向軸に実質的に垂直に延在する一連のチャンネルの間に配設されている壁をさらに備える。これらの実装形態において、壁は、粒子状物質が中を通過するのを防ぐ。
【００２２】
いくつかの例において、粒子状物質は、発泡ビーズを含む。発泡ビーズは、実質的に球状の形状を備え得る。発泡ビーズは、おおよそ同じサイズおよび形状を含み得るか、または異なるサイズおよび形状のうちの少なくとも１つを含み得る。
【００２３】
本開示の別の態様は、フットウェアを製作するための方法を提供する。この方法は、フットベッドとアウトソールとの間に空洞を設けるステップと、空洞内に第１の一連のチャンネルを画成する第１の一連の壁を空洞に設けるステップとを含む。第１の一連のチャンネルは、アウトソールの長手方向軸に実質的に垂直に延在し、長手方向軸に実質的に平行な方向に互いに重なり合う。方法は、また、第１の一連のチャンネルに一定量の粒子状物質を供給するステップも含む。
【００２４】
この態様は、以下のオプションの特徴のうちの１つまたは複数を含み得る。適宜、第１の一連の壁は、第１の一連のチャンネルに実質的に円形の断面を設けることによって第１の一連のチャンネルを画成する。適宜、第１の一連の壁は、第１の一連のチャンネルに実質的に三角形の断面を設けることによって第１の一連のチャンネルを画成する。いくつかの例において、第１の一連の壁は、長手方向軸に実質的に平行な方向に第１の一連のチャンネルと重なり合うことによって第１の一連のチャンネルを画成する。
【００２５】
いくつかの例において、第１の一連のチャンネルは、その一定量の粒子状物質を一定量の発泡ビーズを供給することによって供給する。発泡ビーズは、いくつかのシナリオにおいて実質的に球状の形状を有し得る。いくつかのシナリオにおいて、その一定量の発泡ビーズは、異なるサイズおよび形状のうちの少なくとも１つを有し得る。
【００２６】
図１〜図３を参照すると、いくつかの実装形態において、フットウェア１０は、アッパー１００と、アッパー１００に取り付けられているソール構造２００とを備えている。フットウェア１０は、１つまたは複数の部分に分割され得る。これらの部分は、前足部１２と、中足部１４と、かかと部１６とを備え得る。前足部１２は、つま先と、中足骨を足の趾節骨と接続する関節とに対応するものとしてよい。中足部１４は、足の土踏まずに一致するものとしてよく、かかと部１６は、踵骨を含む、足の後側部分に一致するものとしてよい。フットウェア１０は、それぞれフットウェア１０の反対側に一致し、部分１２、１４、１６を貫通する外側１８および内側２０を備え得る。
【００２７】
アッパー１００は、足を受け入れ、固定してソール構造２００上で支持する内部空隙１０２を画成する内面を備える。かかと部１６内のくるぶし開口部１０４は、内部空隙１０２へのアクセスを可能にし得る。たとえば、くるぶし開口部１０４は足を受け入れて足を空隙１０２内に固定し、内部空隙１０２からの、および内部空隙１０２への足の進入および取り出しを円滑にすることを可能にする。いくつかの例において、１つまたは複数のファスナー１０６がアッパー１００に沿って延在し、足の周りで内部空隙１０２のフィット感を調整し、その際に足の進入および取り出しに同時に応じる。アッパー１００は、小穴などの開口および／またはファスナー１０６を受け入れる布もしくはメッシュループなどの他の係合特徴部を備え得る。ファスナー１０６は、レース、ストラップ、コード、フック＆ループ、または他の好適な種類のファスナーを含み得る。
【００２８】
アッパー１００は、内部空隙１０２とファスナー１０６との間に延在するベロ部１１０を備え得る。アッパー１００は、縫い合わせるか、または接着剤で貼り合わされて内部空隙１０２を形成する１つまたは複数の材料から形成され得る。アッパーの好適な材料は、限定はしないが、織物、発泡体、皮革、および合成皮革を含み得る。材料は、耐久性、通気性、耐摩耗性、柔軟性、および快適性をもたらすように選択され、配置され得る。
【００２９】
いくつかの実装形態において、ソール構造２００は、重層構成で配置構成されているアウトソール２１０、ミッドソール２５０、およびフットベッド２２０を備える。たとえば、アウトソール２１０は、フットウェア１０の使用中に地面と係合し、フットベッド２２０は、アッパー１００とアウトソール２１０との間に配設され、ミッドソール２５０は、フットベッド２２０とアウトソール２１０との間に配設される。いくつかの例において、ソール構造２００は、インソールまたはソックライナーなどの追加の層も組み込むものとしてよく、これはフットウェア１０の快適さを高めるように足底面を受け入れるためにアッパー１００の内部空隙１０２内に置かれ得る。側壁２３０は、アウトソール２１０とフットベッド２２０とを分離し、それらの間に空洞２４０を画成するものとしてよく、それにより、ミッドソール２５０を側壁２３０の周で囲まれ、アウトソール２１０とフットベッド２２０との間にある空洞２４０内に置くことができる。したがって、アウトソール２１０、ミッドソール２５０、およびフットベッド２２０の重層構成は、前足部１２、中足部１４、およびかかと部１６を貫通するソール構造２００に対する長手方向軸Ｌを画成し得る。
【００３０】
アウトソール２１０は、地面係合表面２１２と、対向する内面２１４とを備える。アウトソール２１０は、アッパー１００に付着し得る。いくつかの例において、側壁２３０は、アウトソール２１０の周から延在し、フットベッド２２０またはアッパー１００に付着する。図１の例は、前足部１２の先端部の近くのアッパー１００に付着するアウトソール２１０を示している。アウトソール２１０は、一般的に、耐摩耗性および地面とのトラクションをもたらすように構成される。アウトソール２１０は、耐久性および耐摩耗性を付与し、さらには地面とのトラクションを強化する１つまたは複数の材料から形成され得る。たとえば、ゴムは、アウトソール２１０の少なくとも一部を形成し得る。
【００３１】
フットベッド２２０は、底面２２２と、フットベッド２２０の、底面２２２の反対側に配設されている頂面２２４とを備え得る。頂面２２４は、アッパー１００に対向するものとしてよく、底面２２２は、アウトソール２１０の内面２１４に対向するものとしてよい。縫い目２２６または接着剤は、フットベッド２２０をアッパー１００に固定し得る。頂面２２４は、足の底面（たとえば、足底）のプロフィールに形状適合するように起伏を付けられ得る。いくつかの例において、インソールまたはソックライナーは、アッパー１００の内部空隙１０２の少なくとも一部の中の足の下の頂面２２４上に配設され得る。底面２２２は、アウトソール２１０の内面２１４に対向して、それらの間でミッドソール２５０を受け入れる空洞２４０を画成し得る。いくつかの例において、側壁２３０は、フットベッド２２０の底面２２２とアウトソール２１０の内面２１４との間の分離の長さに基づき空洞２４０の周さらには空洞２４０の深さを定めることができる。１つまたは複数のポリマー発泡体材料は、加荷重の下で弾性圧縮性をもたらし地面反力を減衰させるように側壁２３０を形成し得る。
【００３２】
ミッドソール２５０は、空洞２４０内に置かれるものとしてよく、底面２５２と頂面２５４とを備え得る。頂面２５４は、フットベッド２２０の底面２２２に対向するプレートを備えるものとしてよく、底面２５２は、アウトソール２１０の内面２１４に対向するプレートを備えるものとしてよい。頂面２５４は、足の足底面のプロフィールに形状適合するように起伏を付けられ得る。粒子状物質３５０はミッドソール２５０内に置かれるものとしてよく、フットウェア１０の使用時に足に対して衝撃緩衝性をもたらす。いくつかの実装形態において、ミッドソール２５０は、前足部１２、中足部１４、およびかかと部１６を通りミッドソール２５０の全長に沿って延在する一連のチャンネル３１０を画成する一連の壁３００を備える。一連の壁３００は、底面２５２と頂面２５４との間に延在し、チャンネル３１０の各々を長手方向軸Ｌに実質的に平行に延在する方向に互いに分離させ得る。壁３００は、底面２５２および頂面２５４に留められ得る。いくつかの例において、壁３００は、各壁３００の長さに沿って不連続な位置において、縫い合わせおよび／もしくは接着剤を使用して、底面２５２および頂面２５４に固定されるか、または代替的に、各壁３００の全長に沿って縫い合わされ、および／もしくは接着剤を使用して固定される。
【００３３】
いくつかの例において、チャンネル３１０の各々は、それぞれ外側１８と内側２０との間でソール構造２００の長手方向軸Ｌに実質的に垂直に延在する。図３に示されているように、チャンネル３１０は、各々、同じ断面形状を備え得るが、ソール構造２００の長さに沿ったチャンネル３１０の位置に応じて異なるサイズを有し得る。たとえば、前足部１２の近くに配設されるチャンネル３１０は、かかと部１６の近くに配設されるチャンネル３１０よりも小さくてよい。図示されていないが、チャンネル３１０のうちのいくつかは、部分１２、１４、１６の各々の中でサイズが異なり得る。たとえば、中足部１４は、前足部１２に現在示されているチャンネル３１０のサイズを有するチャンネル３１０を備えるものとしてよく、さらに、より小さいチャンネル３１０に対応できるように中足部１４に現在示されているものよりも大きいチャンネル３１０を備え得る。
【００３４】
いくつかの構成において、各チャンネル３１０は、一定量の粒子状物質３５０を中に受け入れ、それによって、一連のチャンネル３１０が互いに連通し合い、フットウェア１０の使用時にミッドソール２５０内に置かれる粒子状物質３５０の移行を制限するか、防ぐか、または他の何らかの形で制御することを可能にする。一連のチャンネル３１０を画成する一連の壁３００は、中に置かれる粒子状物質３５０と連携して、機能性を高め、ポリマー発泡体のスラブから形成された従来のミッドソールがもたらす緩衝特性を向上させる。たとえば、エチル酢酸ビニルまたはポリウレタンなどの、１つまたは複数のポリマー発泡体材料は、加荷重の下で弾性圧縮性をもたらし地面反力を減衰させるように一連の壁３００を形成し得る。粒子状物質３５０は、実質的に球状の形状を有する発泡ビーズを含み、加荷重の下で圧縮するとソフトタイプの衝撃緩衝性をもたらし得る。いくつかの例において、粒子状物質３５０は、サイズおよび形状がほぼ同じである発泡ビーズを含む。他の例では、粒子状物質３５０は、異なるサイズおよび形状のうちの少なくとも１つを有する発泡ビーズを含む。
【００３５】
フットベッド２２０は、可撓性材料から形成されてよく、これにより、フットベッド２２０はチャンネル３１０内に配設されている粒子状物質３５０に形状適合することが可能となり、それによって、粒子状物質３５０は空洞２４０内に置かれ、ソール構造２００の勾配荷重がかかるときに足の底面のプロフィールと相互作用し得る。したがって、フットベッド２２０は、粒子状物質３５０が粒子状物質３５０の荷重がかかるときに一般的に足の形状に形状適合することを許す柔軟なシュトローベル（ｓｔｒｏｂｌｅ）として働く。
【００３６】
図２は、各々対応する量の粒子状物質３５０（たとえば、発泡ビーズ）を受け入れる一連のチャンネル３１０を画成するミッドソール２５０の一連の壁３００を示すフットウェア１０の分解図となっている。各チャンネル３１０は、それぞれ外側１８と内側２０との間でミッドソール２５０の長手方向軸Ｌに実質的に垂直な方向に延在する長手方向軸ＬＣを画成し得る。例示的な構成は、一対の隣接する壁３００と底面２５２または頂面２５４のうちの一方とによって画成される実質的に三角形の断面を有するチャンネル３１０の各々を示す。たとえば、隣接するチャンネル３１０の各対は、隣接する壁３００の対応する対と底面２５２または頂面２５４のうちの一方との間に画成される対応する第１のチャンネル３１０と、隣接する壁３００の対応する対と底面２５２または頂面２５４のうちの他方との間に画成される対応する第２のチャンネル３１０とを備える。長手方向軸Ｌに沿って延在する各チャンネル３１０の長さの一部が、図３に示されているように、隣接しているチャンネル３１０の長さの一部と重なり合うものとしてよい。
【００３７】
図３を参照すると、図１の直線３−３に沿って切り取った断面図は、各々対応する量の粒子状物質３５０（たとえば、発泡ビーズ）を受け入れる一連のチャンネル３１０を画成するミッドソール２５０の一連の壁３００を示す。図３は、対応する基部３１２、３１４および対応する遠位端３２２、３２４を含む三角形の断面を有するチャンネル３１０を示している。ミッドソール２５０の長さに沿ったチャンネル３１０の配置構成は、壁３００が底面２５２から遠位端３２４の方へ進み頂面２５４に達するときに断面積が減少してゆくチャンネル３１０を画成する壁３００と、壁３００が頂面２５４から遠位端３２２の方へ進み底面２５２に達するときに断面積が減少してゆくチャンネル３１０を画成する壁３００との間で交互し、繰り返す。
【００３８】
壁３００は、各チャンネル３１０の遠位端３２４のところでミッドソール２５０の頂面２５４に固定され得る。たとえば、各チャンネル３１０の遠位端３２４は、フットウェア１０の外側１８と内側２０との間のチャンネル長手方向軸ＬＣに実質的に平行な方向で頂面２５４に縫い付けられ得る。縫い目は頂面２５４の端から端まで伸びているか、または外側１８と内側２０との間の不連続な位置に配置され得る。同様に、壁３００は、各チャンネル３１０の他の遠位端３２２のところでミッドソール２５０の底面２５２に固定され得る。ここで、各チャンネル３１０の遠位端３２２は、フットウェア１０の外側１８と内側２０との間のチャンネル長手方向軸ＬＣに実質的に平行な方向で底面２５２に縫い付けられ得る。頂面２５４と同様に、縫い目は底面２５２の端から端まで伸びているか、または外側１８と内側２０との間の不連続な位置に配置され得る。
【００３９】
図３の例は、すべて均一な形状（たとえば、三角形の断面）を有するチャンネル３１０を画成する壁３００を示しているが、他の構成は、他のチャンネル３１０と異なる形状を画成するチャンネル３１０のうちの少なくとも１つを含み得る。たとえば、各部分１２、１４、１６は、他の部分１２、１４、１６のチャンネル３１０と異なる断面形状を有するチャンネル３１０を含み得るか、または代替的に、部分１２、１４、１６のうちの１つは、他の部分１２、１４、１６のチャンネル３１０と異なる断面形状を有するチャンネル３１０を含み得る。最後に、部分１２、１４、１６のうちの少なくとも１つは、特定の部分１２、１４、１６内に異なる形状を有するチャンネル３１０を含み得る。たとえば、中足部１４は、実質的に円形の断面形状を有するチャンネル３１０と混合された実質的に三角形の断面形状を有するチャンネル３１０を備え得る。
【００４０】
図２および図３は、粒子状物質３５０を受け入れ、封じ込めるための空隙を画成するチャンネル３１０を示す。いくつかの例では、壁３００は、チャンネル３１０の各々を互いから分離して、粒子状物質３５０がミッドソール２５０の長手方向軸Ｌに実質的に平行な方向でチャンネル３１０の間を移動するのを制限する。これらの例において、この一定量の粒子状物質３５０は、ソール構造２００が繰り返し圧縮されたときにミッドソール２５０の他の領域にシフトまたは移行することなく対応するチャンネル３１０内に収容されたままである。適宜、壁３００は、粒子状物質３５０がそれぞれミッドソール２５０の長手方向軸Ｌに実質的に垂直な方向に、外側１８と内側２０との間で、各チャンネル３１０の長手方向軸ＬＣに沿って移動することを可能にする。粒子状物質３５０の移動および移行を制御することに加えて、チャンネル３１０にテーパーを付け、断面積を減らすことも、それぞれ対応する前足部１２、中足部１４、およびかかと部１６において衝撃緩衝のどの程度の応答性を引き起こすかについて壁３００の圧縮性を制御する。したがって、フットベッド２２０の底面２２２は、ソール構造２００の勾配荷重がかかるときにアウトソール２１０の方へ並進移動するものとしてよく、それによって、壁３００および粒子状物質３５０は圧縮し、柔軟性から応答性への衝撃緩衝性をもたらす。
【００４１】
ミッドソール２５０の応答性は、壁３００の材料および厚さの両方を制御することによって調整され得る。たとえば、壁３００は、上で説明されているように、発泡体材料から形成され得るか、または代替的に、布などの織布材料から形成され得る。壁３００を布材料から形成するステップは、ミッドソール２５０の応答性を低減し、このステップによりミッドソール２５０が衝撃緩衝のためにもっぱら粒子状物質３５０に頼ることになる。逆に、壁３００を比較的厚い発泡体材料から形成するステップは、壁３００がミッドソール２５０にある程度の剛性を付与し、それによってミッドソール２５０の応答性を高め、衝撃緩衝のために粒子状物質３５０にあまり頼らなくすることを可能にする。
【００４２】
図４〜図６を参照すると、いくつかの実装形態において、フットウェア１０ａは、アッパー１００と、アッパー１００に取り付けられているソール構造２００ａとを備えている。フットウェア１０ａに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００４３】
ソール構造２００ａは、重層構成で配置構成されているアウトソール２１０ａ、ミッドソール２５０ａ、およびフットベッド２２０ａを備え得る。側壁２３０は、アウトソール２１０ａとフットベッド２２０ａとを分離し、それらの間に空洞２４０ａを画成するものとしてよく、それにより、ミッドソール２５０ａをアウトソール２１０ａとフットベッド２２０ａとの間の空洞２４０ａ内に置くことができる。アウトソール２１０ａは、アウトソール２１０ａの、地面係合表面２１２の反対側に配設されている内面２１４ａを備える。フットベッド２２０ａは、フットベッド２２０ａの、頂面２２４ａの反対側に配設されている底面２２２ａを備える。ミッドソール２５０ａは、ミッドソール２５０ａが空洞２４０ａ内に配設されたときにアウトソール２１０ａの内面２１４ａによって支持される底面２５２ａを備え得る。ソール構造２００ｂは、アッパー１００の内部空隙１０２の少なくとも一部の中のフットベッド２２０ａの頂面２２４ａ上に配設されているインソール２２８をさらに備え得る。内面２１４ａに対向する底面２２２ａは、空洞２４０ａを画成し、側壁２３０は、底面２２２ａと内面２１４ａとを分離して空洞２４０ａの深さを画成する。
【００４４】
いくつかの実装形態において、ミッドソール２５０ａは、ミッドソール２５０ａの全長に沿って延在する一連のチャンネル３１０ａを画成する一連の壁３００ａを備える。図５は、一連の壁３００ａが底面２５２ａからミッドソール２５０ａの対向する頂面２５４ａに向かう方向に延在し、それらの間に一連のチャンネル３１０ａを画成する様子を示すフットウェア１０ａの分解図を示している。いくつかの例において、一連の壁３００ａは、それぞれ外側１８と内側２０との間に、ミッドソール２５０ａの全長に沿って延在するパターンで配置構成され、複数の多角形の形状のチャンネル３１０ａを画成し得る。一連の壁３００ａおよびチャンネル３１０ａは連携して、足に対する衝撃緩衝性をもたらし得るとともに、フットウェア１０ａの使用時にチャンネル３１０ａの各々の中に置かれている粒子状物質３５０の移動を制御し得る。フットベッド２２０ａは、図１〜図３のフットベッド２２０を形成する可撓性材料から形成されてよく、これにより、フットベッド２２０ａに十分な柔軟性を持たせ、それによってチャンネル３１０ａ内に配設されている粒子状物質３５０がソール構造２００ａの勾配荷重がかかるときに足の底面のプロフィールと相互作用するようにできる。
【００４５】
壁３００ａは、図１〜図３の一連の壁３００を形成する１つまたは複数のポリマー発泡体材料から形成されてよく、これにより、ソール構造２００ａの勾配荷重がかかるときに地面反力を減衰させる弾性圧縮性をもたらす。いくつかの構成において、各チャンネル３１０ａは、六角形の断面を有する。他の構成では、チャンネル３１０ａは、三角形、矩形、または五角形などの円形または多角形の形状の断面を備え得る。チャンネル３１０ａは互いに分離され、それによって、対応するチャンネル３１０ａ内にその一定量の粒子状物質３５０を閉じ込め得る。各チャンネル３１０ａ内に置かれる粒子状物質３５０の量は、実質的に一定であり得るか、またはチャンネル３１０ａのうちの少なくとも１つにおいて異なり得る。いくつかの例において、底面２５２ａは省かれ、壁３００ａは、アウトソール２１０ａの内面２１４ａから延在して、一連のチャンネル３１０ａを画成する。
【００４６】
図６は、一連の壁３００ａがミッドソール２５０ａの底面２５２ａからミッドソール２５０ａの頂面２５４ａへの方向に延在し、一連のチャンネル３１０ａを画成する様子を示す図４の直線６−６に沿って切り取った断面図である。いくつかの構成において、ミッドソール２５０ａは、一連の壁３００によって底面２５２ａから分離され、チャンネル３１０ａの各々の中に置かれる粒子状物質３５０を封じ込める頂面２５４ａを備える。各チャンネル３１０ａを封じ込める頂面２５２ａは、凸状であってよい。例示的な構成において、その一定量の粒子状物質３５０は、チャンネル３１０ａの各々の中を実質的に充満する。各チャンネル３１０ａ内に置かれるその一定量の粒子状物質３５０は、それぞれミッドソール２５０ａの長手方向軸Ｌに実質的に垂直でありならびに頂面２５４ａおよび底面２５２ａにも実質的に垂直である方向で、各チャンネル３１０の長手方向軸ＬＣに沿って移動することを許され得る。逆に、壁３００ａは、チャンネル３１０ａ内に置かれているその一定量の粒子状物質３５０がミッドソール２５０ａの長手方向軸Ｌに実質的に平行な方向にチャンネル３１０ａ間を移動するのを制限し得る。いくつかの例において、一連のチャンネル３１０ａのうちの１つまたは複数のサイズおよび容積は、柔軟性から応答性までの衝撃緩衝性の異なるレベルをもたらすように異なる。したがって、一連のチャンネル３１０ａを画成する一連の壁３００ａは、それぞれ、ソール構造２００ａの勾配荷重がかかっているときに、前足部１２、中足部１４、およびかかと部１６の各々における柔軟性タイプの衝撃緩衝性と応答性タイプの衝撃緩衝性との組合せをもたらすように中に置かれているその一定量の粒子状物質３５０と連携し得る。
【００４７】
図７〜図９を参照すると、いくつかの実装形態において、フットウェア１０ｂは、アッパー１００と、アッパー１００に取り付けられているソール構造２００ｂとを備えている。フットウェア１０ｂに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００４８】
ソール構造２００ｂは、重層構成で配置構成されているアウトソール２１０ｂ、ミッドソール２５０ｂ、およびフットベッド２２０ｂを備え得る。側壁２３０は、アウトソール２１０ｂとフットベッド２２０ｂとを分離し、それらの間に空洞２４０ｂを画成するものとしてよく、それにより、ミッドソール２５０ｂをアウトソール２１０ｂとフットベッド２２０ｂとの間の空洞２４０ｂ内に置くことができる。アウトソール２１０ｂは、アウトソール２１０ｂの、地面係合表面２１２の反対側に配設されている内面２１４ｂを備える。フットベッド２２０ｂは、フットベッド２２０ｂの、頂面２２４ｂの反対側に配設されている底面２２２ｂを備える。ミッドソール２５０ｂは、ミッドソール２５０ｂが空洞２４０ｂ内に配設されたときにアウトソール２１０ｂの内面２１４ｂによって支持される底面２５２ｂまたはプレートを備え得る。ミッドソール２５０ｂは、底面２５２ｂに対向する頂面２５４ｂまたはプレートも備え得る。ミッドソール２５０ｂの頂面２５４ｂは、また、フットベッド２２０ｂの底面２２２ｂに対向し、付着し得る。ソール構造２００ｂは、アッパー１００の内部空隙１０２の少なくとも一部の中のフットベッド２２０ｂの頂面２２４ｂ上に配設されているインソール２２８をさらに備え得る。内面２１４ｂに対向する底面２２２ｂは、空洞２４０ｂを画成し、側壁２３０は、底面２２２ｂと内面２１４ｂとを分離して空洞２４０ｂの深さを画成する。
【００４９】
いくつかの実装形態において、ミッドソール２５０ｂは、それぞれミッドソール２５０ｂの全長に沿って、および外側１８と内側２０との間に、延在する一連のチャンネル３１０ｂを画成する一連の壁３００ｂを備える。一定量の粒子状物質３５０は、一連のチャンネル３１０ｂ内に、およびミッドソール２５０ｂの、それぞれ、底面２５２ｂと頂面２５４ｂとの間に受け入れられ得る。図８は、一連の壁３００ｂがフットベッド２２０ｂの底面２５２ｂと頂面２５４ｂとの間に延在し、一連のチャンネル３１０ｂを画成する様子を示すフットウェア１０ｂの分解図を示している。いくつかの例において、一連の壁３００ｂは、底面２５２ｂに取り付けられている第１の端部と、ミッドソール２５０ｂの頂面２５４ｂに取り付けられている第２の端部とを備える。他の例では、各壁３００ｂは、閉じた端部を備えてループを形成し、ループの第１の部分（たとえば、頂点）は底面２５２ｂに取り付けられ、ループの第２の対向する部分（たとえば、頂点）は頂面２５４ｂに取り付けられる。いくつかの構成において、頂面２５４ｂおよび底面２５２ｂは、それぞれ、省かれ、繊維がアウトソール２１０ｂの内面２１４ｂとフットベッド２２０ｂの底面２２２ｂとの間に延在する。フットベッド２２０ｂは、図１〜図３のフットベッド２２０を形成する可撓性材料から形成されてよく、これにより、フットベッド２２０ｂに十分な柔軟性を持たせ、それによってチャンネル３１０ｂ内に配設されている粒子状物質３５０がソール構造２００ｂの勾配荷重がかかるときに足の底面のプロフィールと相互作用するようにできる。
【００５０】
各壁３００ｂは、張力を受けた状態の繊維から形成された布を備え得る。たとえば、底面２５２ａに取り付けられている第１の端部／部分を頂面２５４ｂに取り付けられている第２の端部／部分から隔てる距離は、各壁３００ｂを形成する繊維が張力を受けるようにする。張力を受けている間、繊維は、壁３００ｂの各々を通る空隙を画成し得る。いくつかの例において、一連の壁３００ｂは、それぞれ外側１８と内側２０との間に、ミッドソール２５０ｂの全長に沿って延在するパターンで配置構成され、一連のチャンネル３１０ｂを画成し得る。一連の壁３００ｂおよびチャンネル３１０ｂは中に置かれている粒子状物質３５０と連携して、足に対する衝撃緩衝性をもたらすとともに、フットウェア１０ｂの使用時の粒子状物質３５０の移動を制御し得る。各壁３００ｂは、一連のチャンネル３１０ｂのうちの１つまたは複数を形成し得る。いくつかの構成において、各チャンネル３１０ｂは、円形または楕円形の断面を有する。他の構成では、各チャンネル３１０ｂは、実質的に矩形の断面を有する。
【００５１】
図９は、一連の壁３００ｂがミッドソール２５０ｂの底面２５２ｂと頂面２５４ｂとの間に延在し、一連のチャンネル３１０ｂを画成する様子を示す図７の直線９−９に沿って切り取った概略断面図を示している。ミッドソール２５０ｂ内に置かれているこの一定量の粒子状物質３５０は、それぞれ、底面２５２ｂと頂面２５４ｂとの間の空間の容積分を実質的に充満し得る。上で述べたように、壁３００ｂを形成する張力を受けている繊維は、壁３００ｂを通る空隙を画成し得る。いくつかの例において、この一定量の粒子状物質３５０は、繊維のうちの隣接する繊維の間の空隙を通して長手方向軸Ｌに実質的に平行な方向に一連のチャンネル３１０ｂのうちの隣接するチャンネル間を移動する。逆に、他の例では、空隙は、粒子状物質３５０の通過を可能にする十分な大きさでないものとしてよく、それによって、壁３００ｂを形成する繊維は粒子状物質３５０が長手方向軸Ｌに実質的に平行な方向に隣接するチャンネル３１０ｂの間を自由に移動するのを制限することができる。それに加えて、各チャンネル３１０ｂは、ミッドソール２５０ｂの長手方向軸Ｌに実質的に垂直な長手方向軸ＬＣを画成するものとしてよく、その一定量の粒子状物質３５０は、それぞれ外側１８と内側２０との間で一連のチャンネル３１０ｂの各々の長手方向軸ＬＣに沿って移動することを許され得る。
【００５２】
図１０および図１１を参照すると、いくつかの実装形態において、フットウェア１０ｃは、アッパー１００と、アッパー１００に取り付けられているソール構造２００ｃとを備えている。フットウェア１０ｃに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００５３】
ソール構造２００ｃは、重層構成で配置構成されているアウトソール２１０ｃ、ミッドソール２５０ｃ、およびフットベッド２２０ｃを備え得る。側壁２３０は、アウトソール２１０ｃとフットベッド２２０ｃとを分離し、それらの間に空洞２４０ｃを画成するものとしてよく、それにより、ミッドソール２５０ｃをアウトソール２１０ｃとフットベッド２２０ｃとの間の空洞２４０ｃ内に置くことができる。アウトソール２１０ｃは、アウトソール２１０ｃの、地面係合表面２１２の反対側に配設されている内面２１４ｃを備える。フットベッド２２０ｃは、フットベッド２２０ｃの、頂面２２４ｃの反対側に配設されている底面２２２ｃを備える。ミッドソール２５０ｃは、ミッドソール２５０ｃが空洞２４０ｃ内に配設されたときにアウトソール２１０ｃの内面２１４ｃによって支持される底面２５２ｃを備え得る。ミッドソール２５０ｃは、底面２５２ｃに対向する頂面２５４ｃも備え得る。ミッドソール２５０ｃの頂面２５４ｃは、また、フットベッド２２０ｃの底面２２２ｃに対向し、付着し得る。ソール構造２００ｃは、アッパー１００の内部空隙１０２の少なくとも一部の中のフットベッド２２０ｃの頂面２２４ｃ上に配設されているインソール２２８をさらに備え得る。内面２１４ｃに対向する底面２２２ｃは、空洞２４０ｃを画成し、側壁２３０は、底面２２２ｃと内面２１４ｃとを分離して空洞２４０ｃの深さを画成し得る。
【００５４】
いくつかの実装形態において、ミッドソール２５０ｃは、それぞれ、第１の一連のチャンネル３１０ｃを画成する第１の一連の壁３００ｃと、ミッドソール２５０ｃの全長に沿って、および外側１８と内側２０との間に、延在する第２の一連のチャンネル３２０を画成する第２の一連の壁３０２とを備える。第１の一連の壁３００ｃおよび第１の一連のチャンネル３１０ｃは、図７〜図９を参照しつつ上で説明されている一連の壁３００ｂおよびチャンネル３１０ｂと実質的に同一であり、詳しく説明することはしない。
【００５５】
図１１は、それぞれ、第１の一連の壁３００ｃおよび第２の一連の壁３０２がミッドソール２５０ｃの底面２５２ｃと頂面２５４ｃとの間に延在し、第１および第２の一連のチャンネル３１０ｃ、３２０を画成する様子を示す図１０の直線１１−１１に沿って切り取った断面図を示している。いくつかの構成において、第２の一連の壁３０２の各々は、ミッドソール２５０ｃの、それぞれ、外側１８と内側２０との間に延在し、ミッドソール２５０ｃの全長に沿って互いに相隔てて並ぶ。隣接する壁３０２は、それぞれ、外側１８と内側２０との間に延在し、また前足部１２、中足部１４、およびかかと部１６を通してミッドソール２５０ｃの全長に沿って延在する、第２の一連のチャンネル３２０を画成する対を形成する。第２の一連の壁３０２は、粒子状物質３５０の通過を制限する布などの織布から形成され得る。代替的に、第２の一連の壁３０２は、長手方向軸Ｌに実質的に平行な方向で隣接するチャンネル３２０の間の粒子状物質３５０の通過を同様に制限する発泡体材料から形成され得る。図１１は、第１の一連の壁３００ｃのうちの３つを封じ込める第２の一連のチャンネル３２０のうちの各１つを示している。しかしながら、第２の一連の壁３０２の各々の間の間隔は、より多くの壁３００ｃを封じ込める場合に広げられるか、またはより少ない壁３００ｃを封じ込める場合に狭められるものとしてよい。第２の一連のチャンネル３２０は、各々、実質的に矩形の断面を画成し得る。フットベッド２２０ｃは、図１〜図３のフットベッド２２０を形成する可撓性材料から形成されてよく、これにより、フットベッド２２０ｃに十分な柔軟性を持たせ、それによってチャンネル３１０ｃ内に、および第２の一連の壁３０２の間に、配設されている粒子状物質３５０がソール構造２００ｃの勾配荷重がかかるときに足の底面のプロフィールと相互作用するようにできる。
【００５６】
図１１を引き続き参照すると、ミッドソール２５０ｃは、空洞２４０ｃを下側空洞部分３９２と上側空洞部分３９４とに分割する第３の壁３９０を備えるものとして示されている。第３の壁３９０は、それぞれ、前足部１２、中足部１４、およびかかと部１６を通りミッドソール２５０の全長に沿って、それぞれ、外側１８と内側２０との間に、延在し得る。いくつかの例において、第３の壁３９０は、ミッドソール２５０ｃの長さの一部に沿って延在し、第２の一連の壁３０２のうちの１つにおいて終端する。下側空洞部分３９２は、ミッドソール２５０ｃの底面２５２ｃと第３の壁３９０とによって画成され、上側空洞部分３９４は、第３の壁３９０とミッドソール２５０ｃの頂面２５４ｃとによって画成される。粒子状物質３５０は、等しいまたは異なる量だけ、それぞれ、下側空洞部分３９２および上側空洞部分３９４の両方の中に配設され得る。
【００５７】
図１２〜図１４を参照すると、いくつかの実装形態において、フットウェア１０ｄは、アッパー１００と、アッパー１００に取り付けられているソール構造２００ｄとを備えている。フットウェア１０ｄに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００５８】
ソール構造２００ｄは、重層構成で配置構成されているアウトソール２１０ｄ、ミッドソール２５０ｄ（図１４）、およびフットベッド２２０ｄを備え得る。側壁２３０は、アウトソール２１０ｄとフットベッド２２０ｄとを分離し、それらの間に空洞２４０ｄを画成するものとしてよく、それにより、ミッドソール２５０ｄをアウトソール２１０ｄとフットベッド２２０ｄとの間の空洞２４０ｄ内に置くことができる。アウトソール２１０ｄは、アウトソール２１０ｄの、地面係合表面２１２の反対側に配設されている内面２１４ｄを備える。フットベッド２２０ｄは、フットベッド２２０ｄの、頂面２２４ｄの反対側に配設されている底面２２２ｄを備える。
【００５９】
いくつかの構成において、一連の壁３００ｄがフットベッド２２０ｄの底面２２２ｄおよびアウトソール２１０ｄの内面２１４ｄから空洞２４０ｄ内に突出し、ミッドソール２５０ｄ（図１４）を画成する。一連の壁３００ｄは、それぞれ、前足部１２、中足部１４、およびかかと部１６の間でミッドソール２５０ｄの全長に沿ってソール構造２００ｄの長手方向軸Ｌに実質的に垂直に延在する一連のチャンネル３１０ｄを画成し得る。一定量の粒子状物質３５０は、一連のチャンネル３１０ｄ内に受け入れられるものとしてよく、いくつかの例では、その一定量の粒子状物質３５０は、チャンネル３１０ｄ（たとえば、空隙）を実質的に充満する。いくつかの例において、一連の壁３００ｄは空洞２４０ｄ内に貫入し、足に対する衝撃緩衝性をもたらすとともに、フットウェア１０ｄの使用時に対応するチャンネル３１０ｄ内に置かれているその一定量の粒子状物質３５０の移行を防ぐ。壁３００ｄ（たとえば、突出部）および空洞２４０ｄ内に置かれているチャンネル３１０ｄは、チャンネル３１０ｄ内に置かれているその一定量の粒子状物質３５０（たとえば、発泡ビーズ）と一緒に連携して、機能性を高め、従来のミッドソールがもたらす衝撃緩衝特性を向上させ得る。たとえば、エチル酢酸ビニルまたはポリウレタンなどの、１つまたは複数のポリマー発泡体材料は、弾性圧縮性をもたらしてソール構造２００ｄの勾配荷重の下での地面反力を減衰させるように壁３００ｄを形成し得る。粒子状物質３５０は、圧縮下にあるときにソフトタイプの衝撃緩衝性をもたらす発泡ビーズを備え得る。フットベッド２２０ｄは、図１〜図３のフットベッド２２０を形成する可撓性材料から形成されてよく、これにより、フットベッド２２０ｄに十分な柔軟性を持たせ、それによってチャンネル３１０ｄ内に配設されている粒子状物質３５０がソール構造２００ｄの勾配荷重がかかるときに足の底面のプロフィールと相互作用するようにできる。
【００６０】
いくつかの実装形態において、一連のチャンネル３１０ｄを画成する一連の壁３００ｄは、上側の一連のチャンネル３２０ｄを画成する上側の一連の壁３０２ｄと、下側の一連のチャンネル３４０ｄを画成する下側の一連の壁３０４ｄとを含む。図１３は、アウトソール２１０ｄの内面２１４ｄに向かう方向でフットベッド２２０ｄの底面２２２ｄから延在する上側の一連のチャンネル３２０ｄを画成する上側の一連の壁３０２ｄと、フットベッド２２０ｄの底面２２２ｄに向かう反対方向でアウトソール２１０ｄの内面２１４ｄから延在する下側の一連のチャンネル３４０ｄを画成する下側の一連の壁３０４ｄとを示す図１２のフットウェア１０ｄの分解図である。この実装形態において、この一定量の粒子状物質３５０（たとえば、発泡ビーズ）は、上側チャンネル３２０ｄおよび下側チャンネル３４０ｄの各々の中に置かれており、チャンネル３２０ｄ、３４０ｄの各々は、ミッドソール２５０ｄの、それぞれ、外側１８と内側２０との間で、ミッドソール２５０ｄの全長に沿って、互いに等しい間隔で並ぶ。いくつかの例において、上側の壁３０２ｄおよび下側の壁３０４ｄは、ミッドソール２５０ｄの、それぞれ、外側１８と内側２０との間で、またミッドソール２５０ｄの全長に沿って、底面２２２ｄおよび内面２１４ｄのそれぞれの１つに沿って繰り返した列の形で、配置構成される。他の例では、上側の壁３０２ｄおよび下側の壁３０４ｄは、繰り返した列を交互する形で配置構成される。
【００６１】
図１４を参照すると、図１２の直線１４−１４で切り取られた断面図は、フットベッド２２０ｄの底面２２２ｄからアウトソール２１０ｄの内面２１４ｄに向かう方向に延在する上側の一連の壁３０２ｄおよびチャンネル３２０ｄと、アウトソール２１０ｄの内面２１４ｄからフットベッド２２０ｄの底面２２２ｄに向かう方向に延在する下側の一連の壁３０４ｄおよびチャンネル３４０ｄとを示している。各チャンネル３２０ｄ、３４０ｄは、それぞれの壁３０２ｄ、３０４ｄによって対応するチャンネル３２０ｄ、３４０ｄの外側に移動するのを制限されている一定量の粒子状物質３５０を収容する。図１４の例では、矢印１４０４は、アウトソール２１０ｄからフットベッド２２０ｄへの方向を表し、矢印１４０２は、フットベッド２２０ｄからアウトソール２１０ｄへの反対方向を表す。図示されているように、壁３０２ｄ、３０４ｄは、壁３０２ｄの頂部が壁３０４ｄの谷部内に嵌り、壁３０４ｄの頂部が壁３０２ｄの谷部に嵌るように互いにネストする。
【００６２】
矢印１４０２、１４０４によって表される方向は、ソール構造２００ｄ（たとえば、ミッドソール２５０ｄ、アウトソール２１０ｄ、およびフットベッド２２０ｄ）の長手方向軸に実質的に垂直である。チャンネル３１０ｄ（たとえば、上側チャンネル３２０ｄおよび下側チャンネル３４０ｄ）の各々は、ミッドソール２５０ｄの長手方向軸Ｌに実質的に垂直であり、方向矢印１４０２、１４０４に実質的に平行であるように延在する長手方向軸ＬＣを画成し得る。いくつかの例において、チャンネル３１０ｄの各々の中に置かれるその一定量の粒子状物質３５０は、チャンネルの長手方向軸ＬＣに沿って移動することを許される。しかしながら、チャンネル３１０ｄの各々の中に置かれている粒子状物質３５０は、壁３００ｄによって、ミッドソール２５０ｄの長手方向軸Ｌに実質的に平行な方向にチャンネル３１０ｄ間を移動するのを制限される。
【００６３】
図１５および図１６を参照すると、いくつかの実装形態において、フットウェア１０ｅは、アッパー１００と、アッパー１００に取り付けられているソール構造２００ｅとを備えている。フットウェア１０ｅに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００６４】
ソール構造２００ｅは、重層構成で配置構成されているアウトソール２１０ｅ、ミッドソール２５０ｅ、およびフットベッド２２０ｅを備え得る。側壁２３０は、アウトソール２１０ｅとフットベッド２２０ｅとを分離し、それらの間に空洞２４０ｅを画成するものとしてよく、それにより、ミッドソール２５０ｅをアウトソール２１０ｅとフットベッド２２０ｅとの間の空洞２４０ｅ内に置くことができる。アウトソール２１０ｅは、アウトソール２１０ｅの、地面係合表面２１２の反対側に配設されている内面２１４ｅを備える。フットベッド２２０ｅは、フットベッド２２０ｅの、頂面２２４ｅの反対側に配設されている底面２２２ｅを備える。
【００６５】
いくつかの構成において、一連の壁３００ｅがフットベッド２２０ｅの底面２２２ｅおよびアウトソール２１０ｅの内面２１４ｅから空洞２４０ｅ内に突出し、ミッドソール２５０ｅを画成する。一連の壁３００ｅは、前足部１２、中足部１４、およびかかと部１６の間でミッドソール２５０ｅの全長に沿ってミッドソール２５０ｅの長手方向軸Ｌに実質的に垂直に延在する一連のチャンネル３１０ｅを画成し得る。一定量の粒子状物質３５０が、一連のチャンネル３１０ｅの一部（たとえば、受け入れ部分）内に受け入れられ得るが、一連のチャンネル３１０ｅの残り部分（たとえば、非受け入れ部分）は、粒子状物質を受け入れない。
【００６６】
その一定量の粒子状物質３５０は、チャンネル３１０ｅの受け入れ部分（たとえば、空隙）を実質的に充満する。いくつかの例において、一連の壁３００ｅは空洞２４０ｅ内に貫入し、足に対する衝撃緩衝性をもたらすとともに、フットウェア１０ｅの使用時にチャンネル３１０ｅの受け入れ部分の中に置かれているその一定量の粒子状物質３５０の移行を防ぐ。壁３００ｅ（たとえば、突出部）および空洞２４０ｅ内に置かれているチャンネル３１０ｅは、チャンネル３１０ｅの受け入れ部分の中に置かれているその一定量の粒子状物質３５０（たとえば、発泡ビーズ）と一緒に連携して、機能性を高め、従来のミッドソールがもたらす衝撃緩衝特性を向上させ得る。たとえば、エチル酢酸ビニルまたはポリウレタンなどの、１つまたは複数のポリマー発泡体材料は、加荷重の下で弾性圧縮性をもたらしてソール構造２００ｅの勾配荷重がかかっているときに地面反力を減衰させるように壁３００ｅを形成し得る。粒子状物質３５０は、圧縮下にあるときにソフトタイプの衝撃緩衝性をもたらす発泡ビーズを備え得る。フットベッド２２０ｅは、図１〜図３のフットベッド２２０を形成する可撓性材料から形成されてよく、これにより、フットベッド２２０ｅに十分な柔軟性を持たせ、それによってチャンネル３１０ｅ内に配設されている粒子状物質３５０が壁３００ｅを介してソール構造２００ｅの勾配荷重がかかるときに足の底面のプロフィールと相互作用するようにできる。
【００６７】
いくつかの実装形態において、一連のチャンネル３１０ｅを画成する一連の壁３００ｅは、上側の一連のチャンネル３２０ｅを画成する上側の一連の壁３０２ｅと、下側の一連のチャンネル３４０ｅを画成する下側の一連の壁３０４ｅとを含み、これらはフットウェア１０ｄに関して上で説明されているものと同様にして互いにネストする。図１６は、上側の一連の壁３０２ｅおよびチャンネル３２０ｅがフットベッド２２０ｅの底面２２２ｅからアウトソール２１０ｅの内面２１４ｅへの矢印１４０２の方向に延在する様子を示す図１５の直線１６−１６に沿って切り取った断面図を示している。この図は、下側の一連の壁３０４ｅおよびチャンネル３４０ｅがアウトソール２１０ｅの内面２１４ｅからフットベッド２２０ｅの底面２２２ｅへの矢印１４０４の方向に延在する様子も示している。
【００６８】
下側の一連のチャンネル３４０ｅは、各々一定量の粒子状物質３５０を受け入れるチャンネル３１０ｅの受け入れ部分を示すものとしてよい。図１６の例における下側の一連の壁３０４ｅおよびチャンネル３４０ｅは、図１２〜図１４の例において上で説明されている下側の一連の壁３０４ｄおよびチャンネル３４０ｄと実質的に同一である。したがって、下側の一連のチャンネル３４０ｅの各々の中に置かれているその一定量の粒子状物質３５０は、チャンネルの長手方向軸ＬＣに沿って移動することを許され得るが、それと同時に、この粒子状物質３５０は、下側の一連の壁３０４ｅによって、ミッドソール２５０ｅの長手方向軸Ｌに実質的に平行な方向にチャンネル３４０ｅ間を移動するのを制限される。
【００６９】
上側の一連のチャンネル３２０ｅは、一定量の粒子状物質３５０を受け入れないチャンネル３１０ｅの非受け入れ部分を示すものとしてよい。図１２〜図１４の例において上で説明されている上側の一連のチャンネル３２０ｄとは対照的に、図１５および図１６の上側の一連のチャンネル３２０ｅは、粒子状物質３５０のない空隙を含む。図示されているように、上側チャンネル３２０ｅは、発泡体材料で実質的に充満され、したがって互いに連携し、下側の一連のチャンネル３４０ｅとネストする実質的に単一の発泡体を形成する。
【００７０】
図１７および図１８を参照すると、いくつかの実装形態において、フットウェア１０ｆは、アッパー１００と、アッパー１００に取り付けられているソール構造２００ｆとを備えている。フットウェア１０ｆに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００７１】
ソール構造２００ｆは、重層構成で配置構成されているアウトソール２１０ｆ、ミッドソール２５０ｆ、およびフットベッド２２０ｆを備え得る。側壁２３０は、アウトソール２１０ｆとフットベッド２２０ｆとを分離し、それらの間に空洞２４０ｆを画成するものとしてよく、それにより、ミッドソール２５０ｆをアウトソール２１０ｆとフットベッド２２０ｆとの間の空洞２４０ｆ内に置くことができる。アウトソール２１０ｆは、アウトソール２１０ｆの、地面係合表面２１２の反対側に配設されている内面２１４ｆを備える。フットベッド２２０ｆは、フットベッド２２０ｆの、頂面２２４ｆの反対側に配設されている底面２２２ｆを備える。
【００７２】
いくつかの構成において、一連の壁３００ｆがフットベッド２２０ｆの底面２２２ｆおよびアウトソール２１０ｆの内面２１４ｆから空洞２４０ｆ内に突出し、ミッドソール２５０ｆを画成する。一連の壁３００ｆは、前足部１２、中足部１４、およびかかと部１６の間でミッドソール２５０ｆの全長に沿ってミッドソール２５０ｆの長手方向軸Ｌに実質的に垂直に延在する一連のチャンネル３１０ｆを画成し得る。一定量の粒子状物質３５０が、一連のチャンネル３１０ｆの一部（たとえば、受け入れ部分）内に受け入れられ得るが、一連のチャンネル３１０ｆの残り部分（たとえば、非受け入れ部分）は、粒子状物質３５０を受け入れない。その一定量の粒子状物質３５０は、チャンネル３１０ｅの受け入れ部分（たとえば、空隙）を実質的に充満する。いくつかの例において、空洞２４０ｆ内に貫入する一連の壁３００ｆは、足に対する衝撃緩衝性をもたらすとともに、フットウェア１０ｆの使用時にチャンネル３１０ｆの受け入れ部分の中に置かれているその一定量の粒子状物質３５０の移行を防ぐ。フットベッド２２０ｆは、図１〜図３のフットベッド２２０を形成する可撓性材料から形成されてよく、これにより、フットベッド２２０ｆに十分な柔軟性を持たせ、それによってチャンネル３１０ｆ内に配設されている粒子状物質３５０がソール構造２００ｆの勾配荷重がかかるときに足の底面のプロフィールと相互作用するようにできる。
【００７３】
壁３００ｆ（たとえば、突出部）および空洞２４０ｆ内に置かれているチャンネル３１０ｆは、チャンネル３１０ｆの受け入れ部分の中に置かれているその一定量の粒子状物質３５０（たとえば、発泡ビーズ）と一緒に連携して、機能性を高め、従来のミッドソールがもたらす衝撃緩衝特性を向上させ得る。たとえば、エチル酢酸ビニルまたはポリウレタンなどの、１つまたは複数のポリマー発泡体材料は、下に弾性圧縮性をもたらしてソール構造２００ｆの勾配荷重がかかっているときに地面反力を減衰させるように壁３００ｆを形成し得る。粒子状物質３５０は、圧縮下にあるときにソフトタイプの衝撃緩衝性をもたらす発泡ビーズを備え得る。
【００７４】
いくつかの実装形態において、一連のチャンネル３１０ｆを画成する一連の壁３００ｆは、上側の一連のチャンネル３２０ｆを画成する上側の一連の壁３０２ｆと、下側の一連のチャンネル３４０ｆを画成する下側の一連の壁３０４ｆとを含み、これらはフットウェア１０ｄに関して上で説明されているものと同様にして互いにネストする。図１８は、フットベッド２２０ｆの底面２２２ｆからアウトソール２１０ｆの内面２１４ｆに向かう矢印１４０２の方向に延在する上側の一連の壁３０２ｆおよびチャンネル３２０ｆと、アウトソール２１０ｆの内面２１４ｆからフットベッド２２０ｆの底面２２２ｆに向かう矢印１４０４の方向に延在する下側の一連の壁３０４ｆおよびチャンネル３４０ｆとを示す図１７の直線１８−１８で切り取られた断面図を提示している。図１５および図１６の上側の一連のチャンネル３２０ｅとは対照的に、図１８の例示的なフットウェア１０ｆは、上側の一連のチャンネル３２０ｆが各々一定量の粒子状物質３５０を受け入れるチャンネル３１０ｆの受け入れ部分を示すことを示している。したがって、図１８の例における上側の一連の壁３０２ｆおよびチャンネル３２０ｆは、図１２〜図１４の例において上で説明されている上側の一連の壁３０２ｄおよびチャンネル３２０ｄと実質的に同一である。したがって、上側の一連のチャンネル３２０ｆの各々の中に置かれているその一定量の粒子状物質３５０は、チャンネルの長手方向軸ＬＣに沿って移動することを許され得るが、それと同時に、この粒子状物質３５０は、上側の一連の壁３０２ｆによって、ミッドソール２５０ｆの長手方向軸Ｌに実質的に平行な方向にチャンネル３２０ｆ間を移動するのを制限される。さらに、図１２〜図１４の下側の一連のチャンネル３４０ｄならびに図１５および図１６の下側チャンネル３４０ｅとは対照的に、図１８の下側の一連のチャンネル３４０ｆは、チャンネル３１０ｅの非受け入れ部分を示し、一定量の粒子状物質３５０を受け入れない。むしろ、下側チャンネル３４０ｆは、発泡体材料で実質的に充満され、したがって互いに連携し、上側の一連のチャンネル３２０ｆとネストする実質的に単一の発泡体を形成する。
【００７５】
図１２〜図１８の例示的な構成を参照すると、いくつかの実装形態において、ソール構造２００ｄ〜ｆが組み立てられるときに、上側の一連のチャンネル３２０ｄ〜ｆを画成する上側の一連の壁３０２ｄ〜ｆおよび下側の一連のチャンネル３４０ｄ〜ｆを画成する下側の一連の壁３０４ｄ〜ｆは、底面２２２ｄ〜ｆおよび内面２１４ｄ〜ｆのうちのそれぞれの１つに、上側の一連のチャンネル３２０ｄ〜ｆおよび下側の一連のチャンネル３４０ｄ〜ｆが、それぞれ、ソール構造２００ｄ〜ｆの長手方向軸Ｌに実質的に平行な方向で互いに重なり合うように配置構成される。いくつかの実装形態において、一連のチャンネル３１０ｄ〜ｆのうちの少なくとも１つは、一連のチャンネル３１０ｄ〜ｆの対と重なり合う。たとえば、底面２２２ｄ〜ｆから空洞２４０ｄ〜ｆ内に貫入する上側の一連のチャンネル３２０ｄ〜ｆのうちの少なくとも１つは、内面２１４ｄ〜ｆから空洞２４０ｄ〜ｆ内に貫入する下側の一連のチャンネル３４０ｄ〜ｆの対応する対と重なり合うものとしてよい。同様に、内面２１４ｄ〜ｆから空洞２４０ｄ〜ｆ内に貫入する下側の一連のチャンネル３４０ｄ〜ｆのうちの少なくとも１つは、底面２２２ｄ〜ｆから空洞２４０ｄ〜ｆ内に貫入する上側の一連のチャンネル３２０ｄ〜ｆの対応する対と重なり合うものとしてよい。図１４、図１６、および図１８の例示的な断面図は、上側の一連のチャンネル３２０ｄ〜ｆの各々が空洞２４０ｄ〜ｆ内に貫入し、下側の一連のチャンネル３４０ｄ〜ｆの対応する対の間に配設される様子を示している。同様に、下側の一連のチャンネル３４０ｄ〜ｆの各々は、空洞２４０ｄ〜ｆ内に貫入し、上側の一連のチャンネル３２０ｄ〜ｆの対応する対の間に配設されるものとして示されている。したがって、上側の一連の壁３０２ｄ〜ｆおよび下側の一連の壁３０４ｄ〜ｆは、ソール構造２００ｄ〜ｆが組み立てられるときに上側の一連のチャンネル３２０ｄ〜ｆおよび下側の一連のチャンネル３４０ｄ〜ｆが連動するか、またはネストしてミッドソール２５０ｄ〜ｆを画成するように配置構成され得る。
【００７６】
引き続き図１４、図１６、および図１８を参照すると、上側の一連のチャンネル３２０ｄ〜ｆの各々は、対応する基部３１２ｄ〜ｆおよび対応する遠位端３２２ｄ〜ｆを備え、下側の一連のチャンネル３４０ｄ〜ｆの各々は、対応する基部３１４ｄ〜ｆおよび対応する丸められた遠位端３２４ｄ〜ｆを備える。上側の一連のチャンネル３２０ｄ〜ｆの各チャンネルは、チャンネル３２０ｄ〜ｆが基部３１２ｄ〜ｆから遠位端３２２ｄ〜ｆの方へ向かうにつれ減少する断面積を備える（たとえば、矢印１４０２の方向でのチャンネル３２０ｄ〜ｆの断面積）。それに加えて、または代替的に、下側の一連のチャンネル３４０ｄ〜ｆの各チャンネルは、チャンネル３４０ｄ〜ｆが基部３１４ｄ〜ｆから遠位端３２４ｄ〜ｆの方へ向かうにつれ減少する断面積を備える（たとえば、矢印１４０４の方向でのチャンネル３４０ｄ〜ｆの断面積）。いくつかの例において、上側の一連のチャンネル３２０ｄ〜ｆおよび下側の一連のチャンネル３４０ｄ〜ｆは、基部３１２ｄ〜ｆ、３２２ｄ〜ｆと遠位端３２２ｄ〜ｆ、３２４ｄ〜ｆとの間に延在し、隣接するチャンネル３２０ｄ〜ｆ、３４０ｄ〜ｆの間に頂部および谷部を画成する一定のテーパーを付けられた外面を備える。この例示的な構成において、上側の一連のチャンネル３２０ｄ〜ｆを画成する上側の一連の壁３０２ｄ〜ｆの各々のテーパーを付けられた外面は、アウトソール２１０ｄ〜ｆの内面２１４ｄ〜ｆにおいて終端し、２つの隣接する下側の一連のチャンネル３４０ｄ〜ｆによって画成される谷部の間に配設される。同様に、下側の一連のチャンネル３４０ｄ〜ｆを画成する下側の一連の壁３０４ｄ〜ｆの各々のテーパーを付けられた外面は、フットベッド２２０ｄ〜ｆの底面２２２ｄ〜ｆにおいて終端し、２つの隣接する上側の一連のチャンネル３２０ｄ〜ｆによって画成される谷部の間に配設される。
【００７７】
いくつかの実装形態において、アウトソール２１０ｄ〜ｆの内面２１４ｄ〜ｆと遠位端３２４ｄ〜ｆとの間の距離は、下側の一連のチャンネル３４０ｄ〜ｆの高さを画成する。同様に、フットベッド２２０ｄ〜ｆの底面２２２ｄ〜ｆと遠位端３２２ｄ〜ｆとの間の距離は、上側の一連のチャンネル３２０ｄ〜ｆの高さを画成するものとしてよい。代替的に、下側の一連のチャンネル３４０ｄ〜ｆの高さは、遠位端３２４ｄ〜ｆと対応する基部３１４ｄ〜ｆとの間の距離に基づき取得されるものとしてよく、上側の一連のチャンネル３２０ｄ〜ｆの高さは、遠位端３２２ｄ〜ｆと対応する基部３１２ｄ〜ｆとの間の距離に基づき取得されるものとしてよい。いくつかの構成において、上側の一連のチャンネル３２０ｄ〜ｆおよび下側の一連のチャンネル３４０ｄ〜ｆのうちの少なくとも一方の高さは異なっていてよい。たとえば、図１４、図１６、および図１８の例は、前足部１２の近くに配置されている上側の一連のチャンネル３２０ｄ〜ｆおよび下側の一連のチャンネル３４０ｄ〜ｆの高さよりも高い高さを有するミッドソール２５０ｄ〜ｆのかかと部１６の近くに配置されている上側の一連のチャンネル３２０ｄ〜ｆおよび下側の一連のチャンネル３４０ｄ〜ｆを示している。チャンネル３２０ｄ〜ｆおよびチャンネル３４０ｄ〜ｆのその高さ（およびテーパー）があれば、粒子状物質３５０を収容または貯蔵することができる。たとえば、かかと部１６は、前足部１２の近くに配置されている上側の一連のチャンネル３２０ｄ〜ｆおよび下側の一連のチャンネル３４０ｄ〜ｆと比較してより高い高さを有するかかと部１６の近くに配置されている上側の一連のチャンネル３２０ｄ〜ｆおよび下側の一連のチャンネル３４０ｄ〜ｆにより前足部１２に比べてより大量の粒子状物質３５０を許容する。
【００７８】
図１４、図１６、および図１８の例示的な構成は、上側の一連のチャンネル３２０ｄ、下側の一連のチャンネル３４０ｄ（図１４）、下側の一連のチャンネル３４０ｅ（図１６）、および上側の一連のチャンネル３２０ｆ（図１８）の各々の中に置かれている一定量の粒子状物質３５０を示している。空洞２４０ｄ〜ｆ内に貫入するチャンネル３２０ｄ、３２０ｆ、３４０ｄ、３４０ｅの幾何学的形状（たとえば、高さ、テーパー、断面積）および配置構成は、チャンネル３２０ｄ、３２０ｆ、３４０ｄ、３４０ｅの長手方向軸ＬＣに沿って粒子状物質３５０の何らかの移動を許すものであってよいが、壁３０２ｄ、３０２ｆ、３０４ｄ、３０４ｅは、ミッドソール２５０ｄ〜ｆの長手方向軸に実質的に平行な方向でのチャンネル３２０ｄ、３２０ｆ、３４０ｄ、３４０ｅの間の粒子状物質３５０の移行または移動を制限し得る。
【００７９】
粒子状物質３５０の移行を制御することに加えて、上側の一連の壁３０２ｄ〜ｆおよび下側の一連の壁３０４ｄ〜ｆの幾何学的形状（たとえば、高さ、テーパー、断面積）および配置構成も、ソール構造２００ｄ〜ｆの勾配荷重がかかっているときにそれぞれ対応する前足部１２、中足部１４、およびかかと部１６において衝撃緩衝のどの程度の応答性を引き起こすかについて壁３０２ｄ〜ｆ、３０４ｄ〜ｆの圧縮性を制御する。
【００８０】
図１９〜図２２を参照すると、いくつかの実装形態において、フットウェア１０ｇは、アッパー１００と、アッパー１００に取り付けられているソール構造２００ｇとを備えている。フットウェア１０ｇに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００８１】
ソール構造２００ｇは、重層構成で配置構成されているアウトソール２１０ｇ、ミッドソール２５０ｇ、およびフットベッド２２０ｇを備え得る。側壁２３０は、アウトソール２１０ｇとフットベッド２２０ｇとを分離し、それらの間に空洞２４０ｇを画成するものとしてよく、それにより、ミッドソール２５０ｇをアウトソール２１０ｇとフットベッド２２０ｇとの間の空洞２４０ｇ内に置くことができる。アウトソール２１０ｇは、アウトソール２１０ｇの、地面係合表面２１２の反対側に配設されている内面２１４ｇを備える。フットベッド２２０ｇは、フットベッド２２０ｇの、頂面２２４ｇの反対側に配設されている底面２２２ｇを備える。
【００８２】
いくつかの構成において、一連の壁３００ｇは、フットベッド２２０ｄの底面２２２ｄから空洞２４０ｇ内に突出し、前足部１２、中足部１４、およびかかと部１６、ならびにミッドソール２５０ｇの外側１８および内側２０の間の１つまたは複数の局所的部分に沿ってミッドソール２５０ｇの長手方向軸Ｌに実質的に垂直に延在する１つまたは複数の局所的チャンネル３１０ｇを画成する。空洞２４０ｇ内に貫入する各局所的チャンネル３１０ｇは、一定量の粒子状物質３５０を受け入れ得る空隙を画成し、いくつかの例において、その一定量の粒子状物質３５０は、各局所的チャンネル３１０ｇの空隙を実質的に充満する。したがって、一連の壁３００ｇは、柔軟性を有するものとしてよく、一定量の粒子状物質３５０を受け入れ、貯蔵するバッグ状またはポケット構造を示す局所チャンネル３１０ｇを画成し得る。
【００８３】
ポリマー発泡体１９００の従来のスラブは、ソール構造２００ｇが組み立てられるときに粒子状物質３５０を収容する１つまたは複数の局所的チャンネル３１０ｇによって占有されていない空洞２４０ｇ内のすべての空き領域を占有するようなサイズおよび形状を有するものとしてよい。したがって、フットベッド２２０ｇとアウトソール２１０ｇとの間の空洞２４０ｇ内に置かれるポリマー発泡体１９００のスラブおよび１つまたは複数の局所的チャンネル３１０ｇは、ミッドソール２５０ｇを画成する。いくつかの例において、空洞２４０ｄ内に貫入し、粒子状物質３５０を収容する、１つまたは複数の局所的チャンネル３１０ｇは、足に対する衝撃緩衝性をもたらすとともに、フットウェア１０ｇの使用時に局所的チャンネル３１０ｇの各々の中に置かれているその一定量の粒子状物質３５０の移行を制限する。各局所的チャンネル３１０ｇ内に置かれるその一定量の粒子状物質３５０（たとえば、発泡ビーズ）は、ポリマー発泡体１９００のスラブと一緒に連携して、機能性を高め、従来のミッドソールがもたらす衝撃緩衝特性を向上させ得る。たとえば、ポリマー発泡体１９００のスラブは、ソール構造２００ｇの勾配荷重がかかっているときに地面反力を減衰させる弾性圧縮性をもたらし得る。その一方で、粒子状物質３５０は、圧縮下にあるときにミッドソール２５０ｇの１つまたは複数の局所的領域においてソフトタイプの衝撃緩衝性をもたらす発泡ビーズを備え得る。フットベッド２２０ｇは、図１〜図３のフットベッド２２０を形成する可撓性材料から形成されてよく、これにより、フットベッド２２０ｇに十分な柔軟性を持たせ、それによって局所的チャンネル３１０ｇ内に配設されている粒子状物質３５０がソール構造２００ｇの勾配荷重がかかるときに足の底面のプロフィールと相互作用するようにできる。
【００８４】
いくつかの実装形態において、一連の局所的チャンネル３１０ｇを画成する一連の壁３００ｇは、つま先部チャンネル３２０ｇを画成する第１の一連の壁３０２ｇ、外側前足部チャンネル３４０ｇを画成する第２の一連の壁３０４ｇ、および内側前足部チャンネル３３０ｇを画成する第３の一連の壁３０６ｇのうちの１つまたは複数を含む。図２０は、つま先部チャンネル３２０ｇを画成する第１の一連の壁３０２ｇおよび外側前足部チャンネル３４０ｇを画成する第２の一連の壁３０４ｇを示す図１９のフットウェア１０ｇの分解図を提示している。図２１は、つま先部チャンネル３２０ｇおよび外側前足部３４０ｇに加えて、内側前足部チャンネル３２０ｇを画成する第３の一連の壁３０６ｇも含むフットウェア１０ｇを示す図２０のフットベッド２２０ｇの底面斜視図を提示する。図２１は、ポリマー発泡体１９００のスラブを受け入れるための領域を定める隠し線も示している。
【００８５】
局所的チャンネル３２０ｇ、３３０ｇ、３４０ｇは、フットベッド２２０ｇの底面２２２ｇから延在し、各チャンネルは一定量の粒子状物質３５０を受け入れる。対応する局所的チャンネル３２０ｇ、３４０ｇ、３３０ｇを画成する壁３０２ｇ、３０４ｇ、３０６ｇは、その一定量の粒子状物質３５０が局所的チャンネルの間を移動することを制限するものとしてよい。いくつかの実装形態において、アウトソール２１０ｇは、ソール構造２００ｇが組み立てられるときにフットベッド２２０ｇから空洞２４０ｇ内に貫入する１つまたは複数のつま先部チャンネル３２０ｇ、外側前足部チャンネル３４０ｇ、および内側前足部チャンネル３３０ｇのうちの少なくとも一部を受け入れるようにサイズおよび形状を決められ配置構成されている１つまたは複数の凹部２０１０を備える。
【００８６】
図２２を参照すると、図１９の直線２２−２２に沿って切り取った断面図は、ポリマー発泡体１９００のスラブとともに空洞２４０ｇ内に貫入しミッドソール２５０ｇを画成する、局所的つま先部チャンネル３２０ｇおよび外側前足部チャンネル３４０ｇをそれぞれ示す。ポリマー発泡体１９００のスラブおよび１つまたは複数の粒子状物体を収容する局所的チャンネル３２０ｇ、３４０ｇ、３３０ｇは連携して、ソール構造２００ｇの勾配荷重がかかっているときの応答性タイプの衝撃緩衝性およびソフトタイプの衝撃緩衝性の組合せをもたらす。たとえば、ポリマー発泡体１９００のスラブは応答性タイプの衝撃緩衝性をもたらし、局所的チャンネル３２０ｇ、３３０ｇ、３４０ｇ内に置かれている粒子状物質３５０は、ソフトタイプの衝撃緩衝性をもたらす。これらの例は、足のつま先に対応する前足部１２の一領域を占有するつま先部チャンネル３２０ｇを示している。外側前足部チャンネル３４０ｇは、ソフトタイプの衝撃緩衝性のレベルが前足部１２の外側１８の近くに荷重が加わったときに高められるように外側１８の近くに配置されている前足部１２の領域を占有し得る。内側前足部チャンネル３３０ｇは、ソフトタイプの衝撃緩衝性のレベルが前足部１２の内側２０の近くに荷重が加わったときに高められ得るように内側２０の近くに配置されている前足部１２の領域を占有し得る。この例示的な構成は、所望の衝撃緩衝特性を得るために局所的チャンネル３２０ｇ、３３０ｇ、３４０ｇの任意の組合せを含み得る。他の構成は、かかと部１６などの空洞の他の領域に配置されている１つまたは複数の他の局所的チャンネル３１０ｇを含み得る。
【００８７】
図２３および図２４を参照すると、いくつかの実装形態において、フットウェア１０ｈは、アッパー１００と、アッパー１００に取り付けられているソール構造２００ｈとを備えている。フットウェア１０ｈに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００８８】
ソール構造２００ｈは、重層構成で配置構成されている図１〜図３のアウトソール２１０ｈ、フットベッド２２０ｈ、およびミッドソール２５０を備え得る。側壁２３０は、アウトソール２１０ｈとフットベッド２２０ｈとを分離し、それらの間に空洞２４０ｈを画成するものとしてよく、それにより、ミッドソール２５０をアウトソール２１０ｈとフットベッド２２０ｈとの間の空洞２４０ｈ内に置くことができる。アウトソール２１０ｈは、アウトソール２１０ｈの、地面係合表面２１２の反対側に配設されている内面２１４ｈを備える。フットベッド２２０ｈは、フットベッド２２０ｈの、頂面２２４ｈの反対側に配設されている底面２２２ｈを備える。ソール構造２００ｈは、アッパー１００の内部空隙１０２の少なくとも一部の中のフットベッド２２０ｈの頂面２２４ｈ上に配設されているインソール２２８ｈも備え得る。
【００８９】
インソール２２８ｈは、底面２３２ｈおよび対向する頂面２３４ｈを備え得る。底面２３２ｈは、フットベッド２２０ｈの頂面２２４ｈ上に配設され得る。したがって、アウトソール２１０ｈ、ミッドソール２５０、フットベッド２２０ｈ、およびインソール２２８ｈは、ソール構造２００ｈの前足部１２、中足部１４、およびかかと部１６の間に延在し、また外側１８と内側２０との間にも延在する重層構成で配置構成され得る。粒子状物質３５０はインソール２２８ｈ内に置かれるものとしてよく、フットウェア１０ｈの使用時に足に対して衝撃緩衝性をもたらす。いくつかの実装形態において、インソール２２８ｈは、前足部１２、中足部１４、およびかかと部１６を通りインソール２２８ｈの全長に沿って延在する一連のチャンネル４１０を画成する一連の壁４００を備える。インソール２２８ｈの各チャンネル４１０は、一定量の粒子状物質３５０を受け入れ得る。それに加えて、ミッドソール２５０は、各々一定量の粒子状物質３５０を受け入れる一連のチャンネル３１０を画成する一連の壁３００を備える。
【００９０】
図２４を参照すると、図２３の直線２４−２４に沿って切り取った断面図は、インソール２２８ｈの一連のチャンネル４１０を画成する一連の壁４００と、各々対応する量の粒子状物質３５０（たとえば、発泡ビーズ）を受け入れるミッドソール２５０の一連のチャンネル３１０を画成する一連の壁３００とを示している。一連の壁４００は、底面２３２ｈと頂面２３４ｈとの間に延在し、チャンネル４１０の各々を互いに分離させ得る。ミッドソールチャンネル３１０と同様に、インソールチャンネル４１０の各々は、外側１８と内側２０との間でソール構造２００ｈの長手方向軸Ｌに実質的に垂直に延在し得る。いくつかの構成において、各チャンネル４１０は、一定量の粒子状物質３５０を中に受け入れ、それによって、一連のチャンネル４１０が互いに連通し合い、フットウェア１０ｈの使用時にインソール２２８ｈ内に置かれる粒子状物質３５０の移行を制限するか、防ぐか、または他の何らかの形で制御することを可能にする。
【００９１】
一連のチャンネル４１０を画成する一連の壁４００は、中に置かれる粒子状物質３５０と連携して、機能性を高め、従来のインソールがもたらす緩衝特性を向上させる。たとえば、エチル酢酸ビニルまたはポリウレタンなどの、１つまたは複数のポリマー発泡体材料は、加荷重の下で弾性圧縮性をもたらし地面反力を減衰させるように一連の壁４００を形成し得る。粒子状物質３５０は、実質的に球状の形状を有する発泡ビーズを含み、ソール構造２００ｈの勾配荷重がかかっているときに圧縮するとソフトタイプの衝撃緩衝性をもたらし得る。いくつかの例において、粒子状物質３５０は、サイズおよび形状がほぼ同じである発泡ビーズを含む。他の例では、粒子状物質３５０は、異なるサイズおよび形状のうちの少なくとも１つを有する発泡ビーズを含む。
【００９２】
例示的な構成において、各インソールチャンネル４１０は、図１〜図３を参照しつつ上記の例で詳しく説明されているように、ミッドソールチャンネル３１０と実質的に類似している。たとえば、各チャンネル４１０は、ソール構造２００ｈの長手方向軸Ｌに実質的に垂直に延在する長手方向軸ＬＣを画成するものとしてよく、各チャンネル４１０は、一対の隣接する壁４００と底面２３２ｈまたは頂面２３４ｈのうちの一方とによって画成される実質的に三角形の断面を有し得る。インソール２２８ｈの底面２３２ｈから延在する各チャンネル４１０は、インソール２２８ｈの頂面２３４ｈから延在する隣接するチャンネル４１０の対応する対の間に配設され得る。同様に、インソール２２８ｈの頂面２３４ｈから延在する各チャンネル４１０は、インソール２２８ｈの底面２３２ｈから延在する隣接するチャンネル４１０の対応する対の間に配設され得る。各々粒子状物質３５０を収容しているインソール２３８ｈおよびミッドソール２５０は連携して、ソール構造２００ｈの勾配荷重がかかっているときに応答性タイプおよびソフトタイプの衝撃緩衝性をもたらし得る。フットベッド２２０ｈおよびインソール２２８ｈは、図１〜図３のミッドソール２２０を形成する可撓性材料から形成されてよく、これにより、フットベッド２２０ｈおよびインソール２２８ｈに十分な柔軟性を持たせ、それによってチャンネル３１０、４１０内に配設されている粒子状物質３５０がソール構造２００ｈの勾配荷重がかかるときに足の底面のプロフィールと相互作用するようにできる。
【００９３】
図２５〜図２６を参照すると、いくつかの実装形態において、フットウェア１０ｉは、アッパー１００と、アッパー１００に取り付けられているソール構造２００ｉとを備えている。フットウェア１０ｉに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【００９４】
ソール構造２００ｉは、重層構成で配置構成されている図４〜図６のアウトソール２１０ｉ、フットベッド２２０ｉ、およびミッドソール２５０ａを備え得る。側壁２３０は、アウトソール２１０ｉとフットベッド２２０ｉとを分離し、それらの間に空洞２４０ｉを画成するものとしてよく、それにより、ミッドソール２５０ａをアウトソール２１０ｉとフットベッド２２０ｉとの間の空洞２４０ｉ内に置くことができる。アウトソール２１０ｉは、アウトソール２１０ｉの、地面係合表面２１２の反対側に配設されている内面２１４ｉを備える。フットベッド２２０ｉは、フットベッド２２０ｉの、頂面２２４ｉの反対側に配設されている底面２２２ｉを備える。ソール構造２００ｉは、アッパー１００の内部空隙１０２の少なくとも一部の中の足の下のフットベッド２２０ｉの頂面２２４ｉ上に配設されているインソール２２８ｉも備え得る。
【００９５】
インソール２２８ｉは、底面２３２ｉおよび対向する頂面２３４ｉを備え得る。底面２３２ｉは、フットベッド２２０ｉの頂面２２４ｉ上に配設され得る。したがって、アウトソール２１０ｉ、ミッドソール２５０ａ、フットベッド２２０ｉ、およびインソール２２８ｉは、ソール構造２００ｉの前足部１２、中足部１４、およびかかと部１６の間に延在し、また外側１８と内側２０との間にも延在する重層構成で配置構成され得る。粒子状物質３５０はインソール２２８ｉ内に置かれるものとしてよく、フットウェア１０ｉの使用時に足に対してソフトタイプの衝撃緩衝性をもたらす。いくつかの実装形態において、インソール２２８ｉは、前足部１２、中足部１４、およびかかと部１６を通りインソール２２８ｉの全長に沿って延在する一連のチャンネル４１０ｉを画成する一連の壁４００ｉを備える。インソール２２８ｉの各チャンネル４１０ｉは、一定量の粒子状物質３５０を受け入れ得る。それに加えて、ミッドソール２５０ａは、図４〜図６の例において上で説明されているように、各々一定量の粒子状物質３５０を受け入れる一連のチャンネル３１０ａを画成する一連の壁３００ａを備える。
【００９６】
図２６を参照すると、図２５の直線２６−２６に沿って切り取った断面図は、インソール２２８ｉの一連のチャンネル４１０ｉを画成する一連の壁４００ｉと、各々対応する量の粒子状物質３５０（たとえば、発泡ビーズ）を受け入れるミッドソール２５０ａの一連のチャンネル３１０ａを画成する一連の壁３００ａとを示している。一連の壁４００ｉは、底面２３２ｉと頂面２３４ｉとの間に延在し、チャンネル４１０ｉの各々を互いに分離させ得る。ミッドソール壁３００ａと同様に、インソール壁４１０ｉの各々は、外側１８と内側２０との間でソール構造２００ｉの長手方向軸Ｌに実質的に垂直に延在し、インソール２２８ｉの全長に沿って複数の多角形の形状のチャンネル４１０ｉを画成し得る。いくつかの構成において、各チャンネル４１０ｉは、一定量の粒子状物質３５０を中に受け入れ、それによって、一連のチャンネル４１０ｉが互いに連通し合い、フットウェア１０ｉの使用時にインソール２２８ｉ内に置かれる粒子状物質３５０の移行を制限するか、防ぐか、または他の何らかの形で制御することを可能にする。
【００９７】
チャンネル４１０ｉは互いに分離され、それによって、対応するチャンネル４１０ｉ内にその一定量の粒子状物質３５０を閉じ込め得る。各チャンネル４１０ｉ内に置かれる粒子状物質３５０の量は、実質的に一定であり得るか、またはチャンネル４１０ｉのうちの少なくとも１つにおいて異なり得る。一連のチャンネル４１０ｉを画成する一連の壁４００ｉは、中に置かれる粒子状物質３５０と連携して、機能性を高め、従来のインソールがもたらす緩衝特性を向上させる。たとえば、エチル酢酸ビニルまたはポリウレタンなどの、１つまたは複数のポリマー発泡体材料は、弾性圧縮性をもたらしてソール構造２００ｉの勾配荷重がかかっているときに地面反力を減衰させるように一連の壁４００ｉを形成し得る。粒子状物質３５０は、実質的に球状の形状を有する発泡ビーズを含み、勾配荷重がかかっているときに圧縮するとソフトタイプの衝撃緩衝性をもたらし得る。
【００９８】
例示的な構成において、各インソールチャンネル４１０ｉは、図４〜図６を参照しつつ上記の例で詳しく説明されているように、ミッドソールチャンネル３１０ａと実質的に類似している。たとえば、各チャンネル４１０ｉは、ソール構造２００ｉの長手方向軸Ｌに実質的に垂直に延在する長手方向軸ＬＣを画成するものとしてよく、各チャンネル４１０ｉは、底面２３２ｉと頂面２３４ｉの間の一対の隣接する壁４００ｉによって画成される実質的に六角形の断面を有し得る。他の構成では、各チャンネル４１０ｉは、三角形、矩形、または五角形などの円形または多角形の形状の断面を備え得る。いくつかの例において、頂面２３４ｉは、チャンネル４１０ｉの各々の中に置かれている粒子状物質３５０を封じ込めるものとしてよく、粒子状物質３５０は、チャンネル４１０ｉの各々を実質的に充満する。いくつかの実装形態において、頂面２３４ｉは、封じ込められている各チャンネル４１０ｉのところで凸状である。各チャンネル４１０ｉ内に置かれているその一定量の粒子状物質３５０は、チャンネルの長手方向軸ＬＣに沿って移動することを許され得る。逆に、壁４００ｉは、チャンネル４１０ｉ内に置かれているその一定量の粒子状物質３５０がミッドソール２５０ａの長手方向軸Ｌに実質的に平行な方向にチャンネル４１０ｉ間を移動するのを制限し得る。対応するチャンネル４１０ｉ、３１０ａ内に各々粒子状物質３５０を収容しているインソール２３８ｉおよびミッドソール２５０ｉは連携して、ソール構造２００ｉの勾配荷重がかかっているときに応答性タイプおよびソフトタイプの衝撃緩衝性をもたらし得る。フットベッド２２０ｉおよびインソール２２８ｉは、図１〜図３のフットベッド２２０を形成する可撓性材料から形成されてよく、これにより、フットベッド２２０ｉおよびインソール２２８ｉに十分な柔軟性を持たせ、それによってチャンネル３１０ａ、４１０ｉ内に配設されている粒子状物質３５０がソール構造２００ｉの勾配荷重がかかるときに足の底面のプロフィールと相互作用するようにできる。
【００９９】
図２７および図２８を参照すると、いくつかの実装形態において、フットウェア１０ｊは、アッパー１００と、アッパー１００に取り付けられているソール構造２００ｊとを備えている。フットウェア１０ｊに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１００】
ソール構造２００ｊは、重層構成で配置構成されている図７〜図９のアウトソール２１０ｊ、フットベッド２２０ｊ、およびミッドソール２５０ｂを備え得る。側壁２３０は、アウトソール２１０ｊとフットベッド２２０ｊとを分離し、それらの間に空洞２４０ｊを画成するものとしてよく、それにより、ミッドソール２５０ｂをアウトソール２１０ｊとフットベッド２２０ｊとの間の空洞２４０ｊ内に置くことができる。アウトソール２１０ｊは、アウトソール２１０ｊの、地面係合表面２１２の反対側に配設されている内面２１４ｊを備える。フットベッド２２０ｊは、フットベッド２２０ｊの、頂面２２４ｊの反対側に配設されている底面２２２ｊを備える。ソール構造２００ｊは、アッパー１００の内部空隙１０２の少なくとも一部の中の足の下のフットベッド２２０ｊの頂面２２４ｊ上に配設されているインソール２２８ｊも備え得る。
【０１０１】
インソール２２８ｊは、底面２３２ｊおよび対向する頂面２３４ｊを備え得る。底面２３２ｊは、フットベッド２２０ｊの頂面２２４ｊ上に配設され得る。したがって、アウトソール２１０ｊ、ミッドソール２５０ｂ、フットベッド２２０ｊ、およびインソール２２８ｊは、ソール構造２００ｊの前足部１２、中足部１４、およびかかと部１６の間に延在し、また外側１８と内側２０との間にも延在する重層構成で配置構成され得る。粒子状物質３５０はインソール２２８ｊ内に置かれるものとしてよく、フットウェア１０ｊの使用時に足に対してソフトタイプの衝撃緩衝性をもたらす。いくつかの実装形態において、インソール２２８ｊは、前足部１２、中足部１４、およびかかと部１６を通りインソール２２８ｊの全長に沿って延在する一連のチャンネル４１０ｊを画成する一連の壁４００ｊを備える。一定量の粒子状物質３５０は、一連のチャンネル４１０ｊ内に、およびインソール２２８ｊの、それぞれ、底面２３２ｊと頂面２３４ｊとの間に受け入れられ得る。それに加えて、図７〜図９の例において上で説明されているように、一定量の粒子状物質３５０は、一連のチャンネル３１０ｂ内に、およびミッドソール２５０ｂの、それぞれ、底面２５２ｂと頂面２５４ｂとの間に受け入れられ得る。
【０１０２】
図２８を参照すると、図２７の直線２８−２８に沿って切り取った断面図は、インソール２２８ｊの一連のチャンネル４１０ｊを画成する一連の壁４００ｊと、ミッドソール２５０ｂの一連のチャンネル３１０ｂを画成する一連の壁３００ｂとを示している。一連の壁４００ｊは、インソール２２８ｊの底面２３２ｊと頂面２３４ｊとの間に延在し、チャンネル４１０ｊの各々を画成し得る。ミッドソール壁３００ｂと同様に、各壁４００ｊは、壁４００ｊの各々を通る空隙を画成する張力を受けている繊維から形成された布を備え得る。たとえば、各壁４００ｊは、底面２３２ｊに取り付けられている第１の端部または一部分と、頂面２３４ｊに取り付けられている第２の端部または一部分とを備え得る。底面２３２ｊと頂面２３４ｊとを分離する距離によって、各壁４００ｊを形成する繊維は張力を受けることになる。図２８は、各々円形または楕円形の断面を有する一連のチャンネル４１０ｊの２つを形成する各壁４００ｊを示している。他の構成では、各チャンネル４１０ｊは、実質的に矩形の断面を有するものとしてよい。
【０１０３】
例示的な構成において、各インソールチャンネル４１０ｊは、図７〜図９を参照しつつ上記の例で詳しく説明されているように、ミッドソールチャンネル３１０ｂと実質的に類似している。たとえば、インソール２２８ｊ内に置かれているこの一定量の粒子状物質３５０は、それぞれ、底面２３２ｊと頂面２３４ｊとの間の空間の容積分を実質的に充満するものとしてよく、この一定量の粒子状物質３５０は、繊維のうちの隣接する繊維の間の空隙を通して長手方向軸Ｌに実質的に平行な方向に一連のチャンネル４１０ｊのうちの隣接するチャンネル間を移動し得る。逆に、いくつかの例において、空隙は、粒子状物質３５０の通過を可能にする十分な大きさでないものとしてよく、それによって、壁４００ｊを形成する繊維は粒子状物質３５０が隣接するチャンネル４１０ｊの間を自由に移動するのを制限することができる。それに加えて、各チャンネル４１０ｊは、インソール２２８ｊの長手方向軸Ｌに実質的に垂直に延在する長手方向軸ＬＣを画成するものとしてよく、その一定量の粒子状物質３５０の各々は、外側１８と内側２０との間で一連のチャンネル４１０ｊの各々の長手方向軸ＬＣに沿って移動することを許され得る。一連の壁３００ｂおよびチャンネル３１０ｂは、ミッドソール２５０ｂの、それぞれ、底面２５２ｂと頂面２５４ｂとの間に置かれている粒子状物質３５０と連携するものとしてよく、一連の壁４００ｊおよびチャンネル４１０ｊはインソール２２８ｊの、それぞれ、底面２３２ｊと頂面２３４ｊとの間に置かれている粒子状物質３５０と連携して、足に対する衝撃緩衝性をもたらすとともに、フットウェア１０ｂの使用時の粒子状物質３５０の移動を制御し得る。フットベッド２２０ｊおよびインソール２２８ｊ（たとえば、頂面２２８ｊおよび底面２３２ｊ）は、図１〜図３のフットベッド２２０を形成する可撓性材料から形成されてよく、これにより、フットベッド２２０ｊおよびインソール２２８ｊに十分な柔軟性を持たせ、それによってチャンネル３１０ｂ、４１０ｊ内に配設されている粒子状物質３５０がソール構造２００ｊの勾配荷重がかかるときに足の底面のプロフィールと相互作用するようにできる。
【０１０４】
図２９および図３０を参照すると、いくつかの実装形態において、フットウェア１０ｋは、アッパー１００と、アッパー１００に取り付けられているソール構造２００ｋとを備えている。フットウェア１０ｋに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１０５】
ソール構造２００ｋは、重層構成で配置構成されている図１２〜図１４のアウトソール２１０ｋ、フットベッド２２０ｋ、およびミッドソール２５０ｄを備え得る。側壁２３０は、アウトソール２１０ｋとフットベッド２２０ｋとを分離し、それらの間に空洞２４０ｋを画成するものとしてよく、それにより、ミッドソール２５０ｄをアウトソール２１０ｋとフットベッド２２０ｋとの間の空洞２４０ｋ内に置くことができる。アウトソール２１０ｋは、アウトソール２１０ｋの、地面係合表面２１２の反対側に配設されている内面２１４ｋを備える。フットベッド２２０ｋは、フットベッド２２０ｋの、頂面２２４ｋの反対側に配設されている底面２２２ｋを備える。ソール構造２００ｋは、アッパー１００の内部空隙１０２の少なくとも一部の中のフットベッド２２０ｋの頂面２２４ｋ上に配設されているインソール２２８ｋも備え得る。
【０１０６】
インソール２２８ｋは、底面２３２ｋおよび対向する頂面２３４ｋを備え得る。底面２３２ｋは、フットベッド２２０ｋの頂面２２４ｋ上に配設され得る。したがって、アウトソール２１０ｋ、ミッドソール２５０ｄ、フットベッド２２０ｋ、およびインソール２２８ｋは、ソール構造２００ｋの前足部１２、中足部１４、およびかかと部１６の間に延在し、また外側１８と内側２０との間にも延在する重層構成で配置構成され得る。粒子状物質３５０はインソール２２８ｋ内に置かれるものとしてよく、フットウェア１０ｋの使用時に足に対してソフトタイプの衝撃緩衝性をもたらす。いくつかの実装形態において、インソール２２８ｋは、前足部１２、中足部１４、およびかかと部１６を通りインソール２２８ｋの全長に沿って延在する一連のチャンネル４１０ｋを画成する一連の壁４００ｋを備える。一定量の粒子状物質３５０は、一連のチャンネル４１０ｋ内に、およびインソール２２８ｋの、それぞれ、底面２３２ｋと頂面２３４ｋとの間に受け入れられ得る。それに加えて、ミッドソール２５０ｄは、図１２〜図１４の例において上で説明されているように、上側の一連のチャンネル３２０ｄを画成する上側の一連の壁３０２ｄと、下側の一連のチャンネル３４０ｄを画成する下側の一連の壁３０４ｄとを備え得る。たとえば、一定量の粒子状物質３５０が、上側の一連のチャンネル３２０ｄおよび下側の一連のチャンネル３４０ｄの各々の中に受け入れられ得る。しかしながら、他の構成では、その一定量の粒子状物質は、上側の一連のチャンネル３２０ｄ（たとえば、図１８の上側の一連のチャンネル３２０ｆ）または下側の一連のチャンネル３４０ｄ（たとえば、図１６の下側の一連のチャンネル３４０ｅ）のうちの一方に配設され得る。
【０１０７】
図３０を参照すると、図２９の直線３０−３０に沿って切り取った概略断面図は、インソール２２８ｋの一連のチャンネル４１０ｋを画成する一連の壁４００ｋと、ミッドソール２５０ｄの一連のチャンネル３１０ｄ（たとえば、それぞれ、上側の一連のチャンネル３２０ｄおよび下側の一連のチャンネル３４０ｄ）を画成する一連の壁３００ｄ（たとえば、それぞれ、上側の一連の壁３０２ｄおよび下側の一連の壁３０４ｄ）とを示している。図１１のミッドソール２５０ｃの第２の一連のチャンネル３２０を画成する第２の一連の壁３０２と同様に、一連の壁４００ｋは、インソール２２８ｋの底面２３２ｋと頂面２３４ｋとの間に延在し、一連のチャンネル４１０ｋの各々を画成し得る。たとえば、一連の壁４００ｋの各々は、インソール２２８ｋの、それぞれ、外側１８と内側２０との間に延在してよく、インソール２２８ｋの全長に沿って互いに相隔てて並ぶものとしてよい。隣接する壁４００ｋは、外側１８と内側２０との間に延在し、また前足部１２、中足部１４、およびかかと部１６を通してインソール２２８ｋの全長に沿って延在する、一連のチャンネル４１０ｋのうちの対応する１つを画成する対を形成し得る。いくつかの例において、粒子状物質３５０の通過を制限する繊維は、壁４００ｋの各々を形成する。フットベッド２２０ｋおよびインソール２２８ｋ（たとえば、頂面２２８ｋおよび底面２３２ｋ）は、図１〜図３のフットベッド２２０を形成する可撓性材料から形成されてよく、これにより、フットベッド２２０ｋおよびインソール２２８ｋに十分な柔軟性を持たせ、それによってチャンネル３１０ｄ、４１０ｋ内に配設されている粒子状物質３５０がソール構造２００ｋの勾配荷重がかかるときに足の底面のプロフィールと相互作用するようにできる。
【０１０８】
例示的な構成において、一連のチャンネル４１０ｋの各々は、インソール２２８ｋの長手方向軸Ｌに実質的に垂直に配設されている長手方向軸ＬＣを画成し、その一定量の粒子状物質３５０は、一連のチャンネル４１０ｋの各々の長手方向軸ＬＣに沿って移動することを許され得る。いくつかの例において、一連の壁４００ｋは、その一定量の粒子状物質３５０が長手方向軸Ｌに実質的に平行な方向に一連のチャンネル４１０ｋのうちの隣接するチャンネル間を移動するのを制限する。したがって、一連のチャンネル４００ｋの各々は、長手方向軸Ｌに実質的に平行な方向に隣接するチャンネル４１０ｋに移動することを制限される対応する一定量の粒子状物質３５０を収容し得る。
【０１０９】
図３１および図３２を参照すると、いくつかの実装形態において、フットウェア１０ｌは、アッパー１００と、アッパー１００に取り付けられているソール構造２００ｌとを備えている。フットウェア１０ｌに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１１０】
ソール構造２００ｌは、重層構成で配置構成されているアウトソール２１０ｌ、フットベッド２２０ｌ、およびミッドソール２５０ｌを備え得る。側壁２３０は、アウトソール２１０ｌとフットベッド２２０ｌとを分離し、それらの間に空洞２４０ｌを画成するものとしてよく、それにより、ミッドソール２５０ｌをアウトソール２１０ｌとフットベッド２２０ｌとの間の空洞２４０ｌ内に置くことができる。アウトソール２１０ｌは、アウトソール２１０ｌの、地面係合表面２１２の反対側に配設されている内面２１４ｌを備える。フットベッド２２０ｌは、フットベッド２２０ｌの、頂面２２４ｌの反対側に配設されている底面２２２ｌを備える。ソール構造２００ｌは、アッパー１００の内部空隙１０２の少なくとも一部の中の足の下のフットベッド２２０ｌの頂面２２４ｌ上に配設されているインソール２２８ｌも備え得る。
【０１１１】
いくつかの実装形態において、ミッドソール２５０ｌは、空洞２４０ｌ内に配設され、空洞２４０ｌを実質的に充満するポリマー発泡体の従来のスラブを備える。したがって、ミッドソール２５０ｌは、地面反力を減衰させる応答性のある衝撃緩衝性をもたらし得る。インソール２２８ｌは、底面２３２ｌおよび対向する頂面２３４ｌを備え得る。底面２３２ｌは、フットベッド２２０ｌの頂面２２４ｌ上に配設され得る。したがって、アウトソール２１０ｌ、ミッドソール２５０ｌ、フットベッド２２０ｌ、およびインソール２２８ｌは、ソール構造２００ｌの前足部１２、中足部１４、およびかかと部１６の間に延在し、また外側１８と内側２０との間にも延在する重層構成で配置構成され得る。
【０１１２】
いくつかの構成において、一連の壁４００ｌは、インソール２２８ｌの底面２３２ｌおよび頂面２３４ｌから突出して、前足部１２、中足部１４、およびかかと部１６の間でインソール２２８ｌの長手方向軸Ｌに実質的に垂直に延在する一連のチャンネル４１０ｌを画成する。一定量の粒子状物質３５０は、一連のチャンネル４１０ｌ内に受け入れられるものとしてよく、いくつかの例では、その一定量の粒子状物質３５０は、チャンネル４１０ｌ（たとえば、空隙）を実質的に充満する。いくつかの例において、底面２３２ｌと頂面２３４ｌとの間に延在する一連の壁４００ｌは、足に対する衝撃緩衝性をもたらすとともに、フットウェア１０ｌの使用時に対応するチャンネル４１０ｌ内に置かれているその一定量の粒子状物質３５０の移行を防ぐ。壁４００ｌ（たとえば、突出部）およびチャンネル４１０ｌは、チャンネル４１０ｌ内に置かれているその一定量の粒子状物質３５０（たとえば、発泡ビーズ）と一緒に連携して、機能性を高め、従来のインソールがもたらす衝撃緩衝特性を向上させ得る。たとえば、エチル酢酸ビニルまたはポリウレタンなどの、１つまたは複数のポリマー発泡体材料は、弾性圧縮性をもたらしてソール構造２００ｌの勾配荷重がかかっているときに地面反力を減衰させるように壁４００ｌを形成し得る。粒子状物質３５０は、圧縮下にあるときにソフトタイプの衝撃緩衝性をもたらす発泡ビーズを備え得る。インソール２２８ｌ（たとえば、頂面２２８ｌおよび底面２３２ｌ）は、図１〜図３のフットベッド２２０を形成する可撓性材料から形成されてよく、これにより、インソール２２８ｌに十分な柔軟性を持たせ、それによってチャンネル４１０ｌ内に配設されている粒子状物質３５０がソール構造２００ｌの勾配荷重がかかるときに足の底面のプロフィールと相互作用するようにできる。
【０１１３】
いくつかの実装形態において、一連のチャンネル４１０ｌを画成する一連の壁４００ｌは、上側の一連のチャンネル４２０を画成する上側の一連の壁４０２と、下側の一連のチャンネル４４０を画成する下側の一連の壁４０４とを含む。図３２は、底面２３２ｌからインソール２２８ｌの頂面２３４ｌに向かう方向に延在する下側の一連のチャンネル４４０を画成する下側の一連の壁４０４と、頂面２３４ｌからインソール２２８ｌの底面２３２ｌに向かう反対の方向に延在する上側の一連のチャンネル４２０を画成する上側の一連の壁４０２と、フットベッド２２０ｌとアウトソール２１０ｌとの間に置かれるミッドソール２５０ｌとを示す図３１の直線３２−３２に沿って切り取られた概略断面図である。この実装形態において、上側および下側の壁４０２、４０４の各々ならびにチャンネル４２０、４４０の各々は、インソール２２８ｌの外側１８と内側２０との間で、またインソール２２８ｌの全長に沿って、互いに等しい間隔で並ぶ。いくつかの例において、上側の壁４０２および下側の壁４０４は、インソール２２８ｌの外側１８と内側２０との間で、またインソール２２８ｌの全長に沿って、頂面２３４ｌおよび底面２３２ｌのそれぞれの１つに沿って繰り返した列の形で配置構成される。他の例では、上側の壁４０２および下側の壁４０４は、繰り返した列を交互する形で配置構成される。
【０１１４】
例示的な構成において、各チャンネル４２０、４４０は、それぞれの壁４０２、４０４によって対応するチャンネル４２０、４４０の外側に移動するのを制限されている一定量の粒子状物質３５０を収容する。さらに、チャンネル４１０ｌ（たとえば、上側チャンネル４２０および下側チャンネル４４０）の各々は、インソール２２８ｌの長手方向軸Ｌに実質的に垂直に延在する長手方向軸ＬＣを画成し得る。いくつかの例において、チャンネル３１０ｄの各々の中に置かれるその一定量の粒子状物質３５０は、チャンネルの長手方向軸ＬＣに沿って移動することを許される。しかしながら、チャンネル４１０ｌの各々の中に置かれている粒子状物質３５０は、壁４００ｌによって、インソール２２８ｌの長手方向軸Ｌに実質的に平行な方向にチャンネル４１０ｌ間を移動するのを制限される。いくつかの例においては、一定量の粒子状物質３５０が、上側の一連のチャンネル４２０または下側の一連のチャンネル４４０の中にのみ置かれる。
【０１１５】
図３３および図３４を参照すると、いくつかの実装形態において、フットウェア１０ｍは、アッパー１００と、アッパー１００に取り付けられているソール構造２００ｍとを備えている。フットウェア１０ｍに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１１６】
ソール構造２００ｍは、重層構成で配置構成されている図３１および図３２のアウトソール２１０ｌ、フットベッド２２０ｌ、およびミッドソール２５０ｌを備え得る。側壁２３０は、アウトソール２１０ｌとフットベッド２２０ｌとを分離し、それらの間に空洞２４０ｌを画成するものとしてよく、それにより、ミッドソール２５０ｌをアウトソール２１０ｌとフットベッド２２０ｌとの間の空洞２４０ｌ内に置くことができる。ソール構造２００ｍは、アッパー１００の内部空隙１０２の少なくとも一部の中のフットベッド２２０ｌの頂面２２４ｌ上に配設されている図２５および図２６のインソール２２８ｉも備え得る。インソール２２８ｉは、図２５および図２６の例において上で説明されているように、各々一定量の粒子状物質３５０を受け入れる一連のチャンネル４１０ｉを画成する一連の壁４００ｉを備える。したがって、アウトソール２１０ｌ、フットベッド２２０ｌ、ミッドソール２５０ｌ、およびインソール２２８ｉは重層構成で配置構成され、ソール構造２００ｍを画成し得る。
【０１１７】
図３４を参照すると、図３３の直線３４−３４に沿って切り取った概略断面図は、対応する量の粒子状物質３５０（たとえば、発泡ビーズ）を受け入れるインソール２２８ｉおよびフットベッド２２０ｌとアウトソール２１０ｌとの間に置かれているミッドソール２５０ｌの中の一連のチャンネル４１０ｉを画成する一連の壁４００ｉを示している。チャンネル４１０ｉの各々の中に粒子状物質３５０を収容するインソール２２８ｉは、ポリマー発泡体のスラブを含むミッドソール２５０ｌと連携して、ソール構造２００ｍの勾配荷重がかかっているときに柔軟性から応答性への衝撃緩衝性をもたらし得る。
【０１１８】
図３５および図３６を参照すると、いくつかの実装形態において、フットウェア１０ｎは、アッパー１００と、アッパー１００に取り付けられているソール構造２００ｎとを備えている。フットウェア１０ｎに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１１９】
ソール構造２００ｎは、重層構成で配置構成されている図３１および図３２のアウトソール２１０ｌ、フットベッド２２０ｌ、およびミッドソール２５０ｌを備え得る。側壁２３０は、アウトソール２１０ｌとフットベッド２２０ｌとを分離し、それらの間に空洞２４０ｌを画成するものとしてよく、それにより、ミッドソール２５０ｌをアウトソール２１０ｌとフットベッド２２０ｌとの間の空洞２４０ｌ内に置くことができる。ソール構造２００ｎは、アッパー１００の内部空隙１０２の少なくとも一部の中のフットベッド２２０ｌの頂面２２４ｌ上に配設されている図２７および図２８のインソール２２８ｊも備え得る。インソール２２８ｊは、張力を受けたとき一連のチャンネル４１０ｊを画成する一連の壁４００ｊを備える。図２７〜図２８の例において上で説明されているように、一定量の粒子状物質３５０が、一連のチャンネル４１０ｊ内に、およびインソール２２８ｊの、それぞれ、底面２３２ｊと頂面２３４ｊとの間に受け入れられ得る。
【０１２０】
図３６を参照すると、図３５の直線３６−３６に沿って切り取った概略断面図は、インソール２２８ｊおよびフットベッド２２０ｌとアウトソール２１０ｌとの間に置かれているミッドソール２５０ｌの中の一連のチャンネル４１０ｊを画成する一連の壁４００ｊを示している。この例示的な構成は、その一定量の粒子状物質３５０が一連のチャンネル４１０ｊ内に、およびインソール２２８ｊの、それぞれ、底面２３２ｊと頂面２３４ｊとの間に置かれることを示している。したがって、粒子状物質３５０を収容するインソール２２８ｊは、ポリマー発泡体のスラブを含むミッドソール２５０ｌと連携して、ソール構造２００ｎの勾配荷重がかかっているときに柔軟性から応答性への衝撃緩衝性をもたらし得る。
【０１２１】
図３７および図３８を参照すると、いくつかの実装形態において、フットウェア１０ｐは、アッパー１００と、アッパー１００に取り付けられているソール構造２００ｐとを備えている。フットウェア１０ｐに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１２２】
ソール構造２００ｐは、重層構成で配置構成されている図３１および図３２のアウトソール２１０ｌ、フットベッド２２０ｌ、およびミッドソール２５０ｌを備え得る。側壁２３０は、アウトソール２１０ｌとフットベッド２２０ｌとを分離し、それらの間に空洞２４０ｌを画成するものとしてよく、それにより、ミッドソール２５０ｌをアウトソール２１０ｌとフットベッド２２０ｌとの間の空洞２４０ｌ内に置くことができる。ソール構造２００ｐは、アッパー１００の内部空隙１０２の少なくとも一部の中のフットベッド２２０ｌの頂面２２４ｌ上に配設されている図２９および図３０のインソール２２８ｋも備え得る。インソール２２８ｋは、図２９および図３０の例において上で説明されているように、各々一定量の粒子状物質３５０を受け入れる一連のチャンネル４１０ｋを画成する一連の壁４００ｋを備える。したがって、アウトソール２１０ｌ、フットベッド２２０ｌ、ミッドソール２５０ｌ、およびインソール２２８ｉは重層構成で配置構成され、ソール構造２００ｐを画成し得る。
【０１２３】
図３８を参照すると、図３７の直線３８−３８に沿って切り取った断面図は、対応する量の粒子状物質３５０（たとえば、発泡ビーズ）を各々受け入れるインソール２２８ｋおよびフットベッド２２０ｌとアウトソール２１０ｌとの間に置かれているミッドソール２５０ｌの中の一連のチャンネル４１０ｋを画成する一連の壁４００ｋを示している。チャンネル４１０ｋの各々の中に粒子状物質３５０を収容するインソール２２８ｋは、ポリマー発泡体のスラブを含むミッドソール２５０ｌと連携して、ソール構造２００ｐの勾配荷重がかかっているときに柔軟性から応答性への衝撃緩衝性をもたらし得る。
【０１２４】
図２３〜図３８は、ソール構造の荷重がかかっているときに所望の衝撃緩衝特性を付与するためにインソールおよびミッドソールの構成要素の異なる組合せが使用される複数の例示的なソール構造構成を提示している。本開示は、図２３〜図３８の例示的なソール構造構成に限定されず、したがって、本明細書で説明されているインソールおよびミッドソールの構成要素の異なる組合せが、本開示の例示的な図解に明示的に示されていない様々な他のソール構造構成を形成するために使用されてよい。
【０１２５】
図３９および図４０を参照すると、フットウェア１０ｑが提示されており、これはアッパー１００と、アッパー１００に取り付けられているソール構造２００ｑとを備えている。フットウェア１０ｑに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１２６】
ソール構造２００ｑは、重層構成で配置構成されているアウトソール２１０ｑ、ミッドソール２５０ｑ、およびフットベッド２２０ｑを備え得る。側壁２３０は、アウトソール２１０ｑとフットベッド２２０ｑとを分離し、それらの間に空洞２４０ｑを画成するものとしてよく、それにより、ミッドソール２５０ｑをアウトソール２１０ｑとフットベッド２２０ｑとの間の空洞２４０ｑ内に置くことができる。アウトソール２１０ｑは、アウトソール２１０ｑの、地面係合表面２１２の反対側に配設されている内面２１４ｑを備える。フットベッド２２０ｑは、フットベッド２２０ｑの、頂面２２４ｑの反対側に配設されている底面２２２ｑを備える。
【０１２７】
ミッドソール２５０ｑは、空洞２４０ｑ内に置かれるものとしてよく、底面２５２ｑと頂面２５４ｑとを備え得る。頂面２５４ｑは、フットベッド２２０ｑの底面２２２ｑに対向する基材上に形成されるものとしてよく、底面２５２ｑは、アウトソール２１０の内面２１４ｑに対向する基材上に形成され得る。頂面２５４ｑは、足の足底面のプロフィールに形状適合するように起伏を付けられてよく、たとえば、布などの可撓性材料から形成されてよい。粒子状物質３５０はミッドソール２５０ｑ内に置かれるものとしてよく、フットウェア１０ｑの使用時に足に対して衝撃緩衝性をもたらす。いくつかの実装形態において、ミッドソール２５０ｑは、内側１８と外側２０との間に、および前足部１２、中足部１４、およびかかと部１６を通りミッドソール２５０ｑの全長に沿って延在する一連のチャンネル３８２を画成する一連の壁またはチューブ３８０を備える。一連のチューブ３８０は、底面２５２ｑと頂面２５４ｑとの間に延在し、チャンネル３８２の各々を長手方向軸Ｌに実質的に平行に延在する方向に互いに分離させ得る。いくつかの例において、チューブ３８０は互いに積み重ねられ、互いに付着していても付着していなくてもよい。さらに、チューブ３８０は、底面２５２ｑと頂面２５４ｑとを画成する基材の間に延在しているように説明され図示されているが、チューブ３８０は、代替的に、チューブ３８０がフットベッド２２０ｑの底面２２２ｑとアウトソール２１０ｑの内面２１４ｑとの間に延在し、フットベッド２２０ｑの底面２２２ｑとアウトソール２１０ｑの内面２１４ｑと接触するようにミッドソール２５０ｑの深さを定めることも可能である。
【０１２８】
図４０は、各々対応する量の粒子状物質３５０（たとえば、発泡ビーズ）を受け入れる一連のチャンネル３８２を画成するミッドソール２５０ｑの一連の壁またはチューブ３８０を示す図３９の直線４０−４０に沿って切り取った断面図を提示している。各チャンネル３８２は、それぞれ外側１８と内側２０との間でミッドソール２５０ｑの長手方向軸Ｌに実質的に垂直な方向に延在する長手方向軸ＬＣを画成し得る。例示的な構成は、チャンネル３８２の各々を対応するチューブ３８０の内壁によって画成される実質的に円形の断面を有するものとして示している。チューブ３８０は、積み重ね構成で配置構成され、縫い合わされるか、または結び合わされ得る。いくつかの例において、チューブ３８０は互いに関して自由に移動可能であり、それによって、チューブ３８０が地面反力に応答してシフトすることが許される。各チューブ３８０は、所望の衝撃緩衝特性をソール構造２００ｑの異なる領域に付与するために同じまたは異なる断面積を有するチャンネル３８２を画成し得る。図４０は、チューブ３８０によって占有されていない前足部１２の近くのミッドソール２５０ｑ内に配置されている空隙２１３を示している。これらの空隙２１３は、チューブ３８０がソール構造の勾配荷重がかかっているときにわずかにシフトすることを許し、それにより、地面係合表面２１２がかかと部１６から前足部１２への係合のために転がるときに流体的な衝撃緩衝性をもたらし得る。他の例では、ミッドソール２５０ｑは、空隙２１３を含まず、チューブ３８０によって完全に充満される（ただし、隣接するチューブ３８０の間の間質空間によって画成される空隙を除く）。
【０１２９】
図４１および図４２を参照すると、フットウェア１０ｒが提示されており、これはアッパー１００と、アッパー１００に取り付けられているソール構造２００ｒとを備えている。フットウェア１０ｒに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１３０】
ソール構造２００ｒは、重層構成で配置構成されているアウトソール２１０ｒ、ミッドソール２５０ｒ、およびフットベッド２２０ｑを備え得る。側壁２３０は、アウトソール２１０ｒとフットベッド２２０ｒとを分離し、それらの間に空洞２４０ｒを画成するものとしてよく、それにより、ミッドソール２５０ｒをアウトソール２１０ｒとフットベッド２２０ｒとの間の空洞２４０ｒ内に置くことができる。アウトソール２１０ｒは、アウトソール２１０ｒの、地面係合表面２１２の反対側に配設されている内面２１４ｒを備える。フットベッド２２０ｒは、フットベッド２２０ｒの、頂面２２４ｒの反対側に配設されている底面２２２ｒを備える。
【０１３１】
ミッドソール２５０ｒは、空洞２４０ｒ内に置かれるものとしてよく、図３９および図４０の底面２５２ｑおよび頂面２５４ｑに関して上で説明されているように、それぞれの基材に関連付けられている底面および頂面を備え得る。粒子状物質３５０はミッドソール２５０ｒ内に置かれるものとしてよく、フットウェア１０ｒの使用時に足に対して衝撃緩衝性をもたらす。いくつかの実装形態において、ミッドソール２５０ｒは、前足部１２、中足部１４、およびかかと部１６を通りミッドソール２５０ｒの全長に沿って延在する一連のチャンネル３８２ｒを画成する一連の壁またはチューブ３８０ｒを備える。一連のチューブ３８０ｒは、ミッドソール２５０ｒの底面と頂面との間に延在し、チャンネル３８２ｒの各々を長手方向軸Ｌを横切って延在する方向に互いに分離させ得る。言い換えると、各チューブ３８０ｒは、外側１８と内側２０との間にそれぞれ、長手方向軸Ｌに関してある角度をなして延在するように向き付けられる。逆に、図３９および図４０のチューブ３８０は、長手方向軸に実質的に垂直な方向に延在する。つまり、ミッドソール２５０ｒは、チューブ３８０ｒの向きを除き、ミッドソール２５０ｑと同一である。
【０１３２】
図４２は、各々対応する量の粒子状物質３５０（たとえば、発泡ビーズ）を受け入れる一連のチャンネル３８２ｒを画成するミッドソール２５０ｒの一連の壁またはチューブ３８０ｒを示す図４１の直線４２−４２に沿って切り取った断面上面図を提示している。各チャンネル３８２ｒは、それぞれ外側１８と内側２０との間でミッドソール２５０ｒの長手方向軸Ｌを横切る方向に延在する長手方向軸ＬＣを画成し得る。例示的な構成において、チャンネル３８２ｒの各々は、チューブ３８０に関して上に示されているのと同様の仕方で、対応するチューブ３８０ｒの内壁によって画成される実質的に円形の断面を有し得る。チューブ３８０ｒは、積み重ね構成で配置構成されてよく、縫い合わされるか、または結び合わされてよい。いくつかの例において、チューブ３８０ｒは互いに関して自由に移動可能であり、それによって、チューブ３８０ｒが地面反力に応答してシフトすることが許される。各チューブ３８０ｒは、所望の衝撃緩衝特性をソール構造２００ｒの異なる領域に付与するために同じまたは異なる断面積を有するチャンネル３８２ｒを画成し得る。
【０１３３】
図４３および図４４を参照すると、フットウェア１０ｓが提示されており、これはアッパー１００と、アッパー１００に取り付けられているソール構造２００ｓとを備えている。フットウェア１０ｓに関してフットウェア１０に関連付けられている構成要素の構造および機能が実質的に類似していることを考慮して、類似の構成要素を識別するために類似の参照番号がこれ以降にておよび図面中で使用されるが、修正された構成要素を識別するために文字拡張を含む類似の参照番号が使用される。
【０１３４】
ソール構造２００ｓは、重層構成で配置構成されているアウトソール２１０ｓ、ミッドソール２５０ｓ、およびフットベッド２２０ｓを備え得る。側壁２３０は、アウトソール２１０ｓとフットベッド２２０ｓとを分離し、それらの間に空洞２４０ｓを画成するものとしてよく、それにより、ミッドソール２５０ｓをアウトソール２１０ｓとフットベッド２２０ｓとの間の空洞２４０ｓ内に置くことができる。アウトソール２１０ｓは、アウトソール２１０ｓの、地面係合表面２１２の反対側に配設されている内面２１４ｓを備える。フットベッド２２０ｓは、フットベッド２２０ｓの、頂面２２４ｓの反対側に配設されている底面２２２ｓを備える。
【０１３５】
ミッドソール２５０ｓは、空洞２４０ｓ内に置かれるものとしてよく、図３９および図４０の底面２５２ｑおよび頂面２５４ｑに関して上で説明されているように、基材にそれぞれ関連付けられている底面および頂面を備え得る。粒子状物質３５０はミッドソール２５０ｓ内に置かれるものとしてよく、フットウェア１０ｓの使用時に足に対して衝撃緩衝性をもたらす。いくつかの実装形態において、ミッドソール２５０ｓは、前足部１２、中足部１４、およびかかと部１６を通りミッドソール２５０ｓの全長に沿って延在する一連のチャンネル３８２ｓを画成する一連の壁またはチューブ３８０ｓを備える。一連のチューブ３８０ｓは、ミッドソール２５０ｓの底面と頂面との間に延在し、チャンネル３８２ｓの各々を長手方向軸Ｌに実質的に垂直に延在する方向に互いに分離させ得る。言い換えれば、各チューブ３８０ｓは、長手方向軸Ｌに実質的に平行に延在し、中に置かれている粒子状物質３５０がそれぞれ外側１８と内側２０との間でシフトするのを防ぐ。逆に、図３９および図４０のチューブ３８０は、長手方向軸Ｌに実質的に垂直な方向に延在し、それによって、各チューブ内に置かれている粒子状物質３５０がそれぞれ外側１８と内側２０との間でシフトするのを許す。つまり、ミッドソール２５０ｓは、チューブ３８０ｓの向きを除き、ミッドソール２５０ｑと同一である。すなわち、チューブ３８０ｓは、チューブ３８０に関して９０°に向き付けられる。
【０１３６】
図４４は、各々対応する量の粒子状物質３５０（たとえば、発泡ビーズ）を受け入れる一連のチャンネル３８２ｓを画成するミッドソール２５０ｓの一連の壁またはチューブ３８０ｓを示す図４３の直線４４−４４に沿って切り取った断面上面図を提示している。各チャンネル３８２ｓは、ミッドソール２５０ｒの長手方向軸Ｌに実質的に平行な方向に、それぞれ外側１８とおよび内側２０に沿って、延在する長手方向軸ＬＣを画成し得る。したがって、各チューブ３８０ｓ内に置かれている粒子状物質３５０は、ミッドソール２５０ｓの長手方向軸Ｌに実質的に平行な方向で対応するチャンネル３８２ｓの長手方向軸ＬＣに沿って自由に移動することができる。例示的な構成において、チャンネル３８２ｓの各々は、チューブ３８０に関して上に示されているのと同様の仕方で、対応するチューブ３８０ｓの内壁によって画成される実質的に円形の断面を有し得る。チューブ３８０ｓは、積み重ね構成で配置構成されてよく、縫い合わされるか、または結び合わされてよい。いくつかの例において、チューブ３８０ｓは互いに関して自由に移動可能であり、それによって、チューブ３８０ｓが地面反力に応答してシフトすることが許される。各チューブ３８０ｓは、所望の衝撃緩衝特性をソール構造２００ｓの異なる領域に付与するために同じまたは異なる断面積を有するチャンネル３８２ｓを画成し得る。
【０１３７】
図４０、図４２、図４４を参照すると、チャンネル３８２、３８２ｒ、３８２ｓは、粒子状物質３５０を受け入れ、封じ込める空隙を画成する。いくつかの例において、チューブ３８０、３８０ｒ、３８０ｓは、各対応するチャンネル３８２、３８２ｒ、３８２ｓを互いから分離し、粒子状物質３５０が隣接するチャンネル３８２、３８２ｒ、３８２ｓの間を移動するのを制限する。たとえば、図４０の各チューブ３８０は、粒子状物質３５０がミッドソール２５０ｑの長手方向軸Ｌに実質的に平行な方向で隣接するチャンネル３８２の間を移動するのを制限する。対照的に、図４４の各チューブ３８０ｓは、粒子状物質３５０がミッドソール２５０ｑの長手方向軸Ｌに実質的に垂直な方向で隣接するチャンネル３８２ｓの間を移動するのを制限する。これらの例において、その一定量の粒子状物質３５０は、ソール構造２００ｑ、２００ｓが繰り返し圧縮されたときにミッドソール２５０ｑ、２５０ｓの他の領域にシフトまたは移行することなく対応するチャンネル３８２、３８２ｓ内に収容されたままである。図４２に示されている構成をとれば、粒子状物質３５０は各チューブ３８０ｒによって画成される長手方向軸ＬＣに沿って移動することができ、したがって、長手方向軸Ｌに関するある角度で粒子状物質３５０が移動することができる。つまり、チューブ３８０、３８０ｒ、３８０ｓは、粒子状物質３５０が各チャンネル３８２、３８２ｒ、３８２ｓによって画成される長手方向軸ＬＣに沿って移動することを可能にし、これは、ミッドソール２５０ｑの長手方向軸Ｌに実質的に垂直な方向（図４０）、ミッドソール２５０ｒの長手方向軸Ｌを横切る方向（図４２）、またはミッドソール２５０ｓの長手方向軸Ｌに実質的に平行な方向（図４４）にあり得る。
【０１３８】
粒子状物質３５０の移動および移行を制御することに加えて、チューブ３８０、３８０ｒ、３８０ｓが一斉にシフトする（結ばれているときに）または互いに関して自由に移動することを可能にすることで、それぞれ対応する前足部１２、中足部１４、およびかかと部１６での衝撃緩衝性の応答性をどの程度にするかを規定できる。したがって、フットベッド２２０ｑ、２２０ｒ、２２０ｓは、ソール構造２００ｑ、２００ｒ、２００ｓの勾配荷重がかかるときにアウトソール２１０ｑ、２１０ｒ、２１０ｓの方へ並進移動するものとしてよく、それによって、チューブ３８０、３８０ｒ、３８０ｓおよび粒子状物質３５０は圧縮し、柔軟性から応答性への衝撃緩衝性をもたらす。フットベッド２２０ｑ、２２０ｒ、２２０ｓは、図１〜図３のフットベッド２２０を形成する可撓性材料から形成されてよく、これにより、フットベッド２２０ｑ、２２０ｒ、２２０ｓに十分な柔軟性を持たせ、それによってチャンネル３８２、３８２ｒ、３８２ｓ内に配設されている粒子状物質３５０がソール構造２００ｑ、２００ｒ、２００ｓの勾配荷重がかかるときに足の底面のプロフィールと相互作用するようにできる。
【０１３９】
ミッドソール２５０ｑ、２５０ｒ、２５０ｓの応答性は、チューブ３８０、３８０ｒ、３８０ｓの材料および厚さの両方を制御することによって調整され得る。たとえば、チューブ３８０、３８０ｒ、３８０ｓは、図１〜図４の壁３００に関して上で説明されているように、発泡体材料から形成され得るか、または代替的に、布などの織布材料から形成され得る。チューブ３８０、３８０ｒ、３８０ｓを布材料から形成するステップは、ミッドソール２５０ｑ、２５０ｒ、２５０ｓの応答性を低減し、このステップによりミッドソール２５０ｑ、２５０ｒ、２５０ｓが衝撃緩衝性のためにもっぱら粒子状物質３５０に頼ることになる。逆に、チューブ３８０、３８０ｒ、３８０ｓを比較的厚い発泡体材料から形成するステップは、チューブ３８０、３８０ｒ、３８０ｓがミッドソール２５０ｑ、２５０ｒ、２５０ｓにある程度の剛性を付与し、それによってミッドソール２５０ｑ、２５０ｒ、２５０ｓの応答性を高め、衝撃緩衝のために粒子状物質３５０にあまり頼らなくすることを可能にする。
【０１４０】
いくつかの構成において、ミッドソール２５０ｑ、２５０ｒ、２５０ｓは、チューブ３８０、３８０ｒ、３８０ｓのうちの少なくとも２つの組合せを含み得る。たとえば、ミッドソール２５０ｑ（図４０）の長手方向軸Ｌに実質的に垂直な方向に延在するチューブ３８０は最下層として配置構成されることが可能であるが、チューブ３８０ｓはチューブ３８０上に配設される最上層として配置構成される。
【０１４１】
次の条項は、上で説明されているフットウェアに対するソール構造の例示的な構成を示す。
【０１４２】
条項１：アッパーと、アッパーに取り付けられ、地面係合表面を備えるアウトソールと、ミッドソールであって、アッパーとアウトソールとの間に配設され、ミッドソールの長手方向軸に実質的に垂直に、ミッドソールの全長に沿って延在する一連のチャンネルを画成する一連の壁を備えるミッドソールとを備えるフットウェア。一連のチャンネルは互いに分離され、各チャンネルは一定量の粒子状物質を中に受け入れる。
【０１４３】
条項２：粒子状物質は、ミッドソールの長手方向軸に実質的に垂直な方向で各チャンネルの長手方向軸に沿って移動することを許される、条項１に記載のフットウェア。
【０１４４】
条項３：粒子状物質は、壁によってミッドソールの長手方向軸に実質的に平行な方向にチャンネル間を移動するのを制限される、条項１または２に記載のフットウェア。
【０１４５】
条項４：チャンネルは、実質的に円形の断面を備える、条項１から３のいずれか一項に記載のフットウェア。
【０１４６】
条項５：チャンネルは、実質的に三角形の断面を備える、条項１から４のいずれか一項に記載のフットウェア。
【０１４７】
条項６：チャンネルは、互いに重なり合う、条項１から５のいずれか一項に記載のフットウェア。
【０１４８】
条項７：粒子状物質は、発泡ビーズを含む、条項１から６のいずれか一項に記載のフットウェア。
【０１４９】
条項８：発泡ビーズは、実質的に球形の形状を備える、条項７に記載のフットウェア。
【０１５０】
条項９：発泡ビーズは、ほぼ同じサイズおよび形状を備える、条項７に記載のフットウェア。
【０１５１】
条項１０：発泡ビーズは、異なるサイズおよび形状のうちの少なくとも一方を備える、条項７に記載のフットウェア。
【０１５２】
条項１１：アッパーと、アッパーに取り付けられ、地面係合表面を備えるアウトソールと、ミッドソールであって、アッパーとアウトソールとの間に配設され、ミッドソールの長手方向軸に実質的に垂直に延在する一連のチャンネルを画成する一連の壁を備えるミッドソールとを備えるフットウェア。一連のチャンネルは長手方向軸に実質的に平行な方向に互いに重なり、各チャンネルは一定量の粒子状物質を中に受け入れる。
【０１５３】
条項１２：粒子状物質は、ミッドソールの長手方向軸に実質的に垂直な方向で各チャンネルの長手方向軸に沿って移動することを許される、条項１１に記載のフットウェア。
【０１５４】
条項１３：粒子状物質は、壁によってミッドソールの長手方向軸に実質的に平行な方向にチャンネル間を移動するのを制限される、条項１１または１２に記載のフットウェア。
【０１５５】
条項１４：チャンネルは、実質的に三角形の断面を備える、条項１１から１３のいずれか一項に記載のフットウェア。
【０１５６】
条項１５：一連のチャンネルのうちの少なくとも１つは、一連のチャンネルの対と重なり合う、条項１１から１４のいずれか一項に記載のフットウェア。
【０１５７】
条項１６：一連のチャンネルのうちの少なくとも１つは、一連のチャンネルの対の間に配設される、条項１５に記載のフットウェア。
【０１５８】
条項１７：粒子状物質は、発泡ビーズを含む、条項１１から１６のいずれか一項に記載のフットウェア。
【０１５９】
条項１８：発泡ビーズは、実質的に球形の形状を備える、条項１７に記載のフットウェア。
【０１６０】
条項１９：発泡ビーズは、ほぼ同じサイズおよび形状を備える、条項１７に記載のフットウェア。
【０１６１】
条項２０：発泡ビーズは、異なるサイズおよび形状のうちの少なくとも一方を備える、条項１７に記載のフットウェア。
【０１６２】
条項２１：アッパーと、アッパーに取り付けられ、地面係合表面と、アウトソールの、地面係合表面の反対側に配設されている内面とを備えるアウトソールとを備えるフットウェア。フットベッドはアッパーとアウトソールとの間に配設され、アッパーに対向する頂面とアウトソールの内面に対向する底面とを備える。ミッドソールはアッパーとアウトソールとの間に配設され、アウトソールの内面とフットベッドの底面との間に延在する繊維を備える。繊維は長手方向軸に沿って、長手方向軸に実質的に垂直に延在する第１の一連のチャンネルを画成するように連携する。一定量の粒子状物質が第１の一連のチャンネル内に受け入れられる。
【０１６３】
条項２２：この一定量の粒子状物質は、繊維のうちの隣接する繊維の間に配置される空隙を通して長手方向軸に実質的に平行な方向に第１の一連のチャンネルのうちの隣接するチャンネル間を移動するように動作可能である、条項２１に記載のフットウェア。
【０１６４】
条項２３：粒子状物質は、ミッドソールの長手方向軸に実質的に垂直な方向で第１の一連のチャンネルの各々の長手方向軸に沿って移動することを許される、条項２１に記載のフットウェア。
【０１６５】
条項２４：粒子状物質は、繊維によってミッドソールの長手方向軸に実質的に平行な方向で隣接するチャンネル間を自由に移動するのを制限される、条項２１から２３のいずれか一項に記載のフットウェア。
【０１６６】
条項２５：チャンネルは、実質的に矩形の断面を備える、条項２１から２４のいずれか一項に記載のフットウェア。
【０１６７】
条項２６：チャンネルは、実質的に三角形の断面を備える、条項２１から２５のいずれか一項に記載のフットウェア。
【０１６８】
条項２７：チャンネルは、互いに重なり合う、条項２１から２６のいずれか一項に記載のフットウェア。
【０１６９】
条項２８：粒子状物質は、発泡ビーズを含む、条項２１から２７のいずれか一項に記載のフットウェア。
【０１７０】
条項２９：発泡ビーズは、実質的に球形の形状を備える、条項２８に記載のフットウェア。
【０１７１】
条項３０：発泡ビーズは、ほぼ同じサイズおよび形状を備える、条項２８に記載のフットウェア。
【０１７２】
条項３１：発泡ビーズは、異なるサイズおよび形状のうちの少なくとも一方を備える、条項２８に記載のフットウェア。
【０１７３】
条項３２：第１の一連のチャンネルのうちの１つの中に配設され、ミッドソールの長手方向軸に実質的に垂直に延在する壁をさらに備え、壁は粒子状物質が中を通過するのを防ぐ、条項２１に記載のフットウェア。
【０１７４】
条項３３：フットウェアを製作する方法。この方法はフットベッドとアウトソールとの間に空洞を設けるステップと、空洞内に第１の一連のチャンネルを画成する第１の一連の壁を空洞に設けるステップとを含む。第１の一連のチャンネルはアウトソールの長手方向軸に実質的に垂直に延在し長手方向軸に実質的に平行な方向に互いに重なり合う。この方法は第１の一連のチャンネルに一定量の粒子状物質を供給するステップも含む。
【０１７５】
条項３４：第１の一連のチャンネルを画成するステップは、第１の一連のチャンネルに実質的に円形の断面を設けるステップを含む、条項３３に記載の方法。
【０１７６】
条項３５：第１の一連のチャンネルを画成するステップは、第１の一連のチャンネルに実質的に三角形の断面を設けるステップを含む、条項３３に記載の方法。
【０１７７】
条項３６：第１の一連のチャンネルを画成するステップは、長手方向軸に実質的に平行な方向に第１の一連のチャンネルを重ね合わせるステップを含む、条項３３から３５のいずれか一項に記載の方法。
【０１７８】
条項３７：第１の一連のチャンネルに一定量の粒子状物質を供給するステップは、一定量の発泡ビーズを供給するステップを含む、条項３３から３６のいずれか一項に記載の方法。
【０１７９】
条項３８：第１の一連のチャンネルに一定量の発泡ビーズを供給するステップは、第１の一連のチャンネルに実質的に球状の形状を有する一定量の発泡ビーズを供給するステップを含む、条項３７に記載の方法。
【０１８０】
条項３９：第１の一連のチャンネルに一定量の発泡ビーズを供給するステップは、第１の一連のチャンネルに異なるサイズおよび形状のうちの少なくとも一方を備える一定量の発泡ビーズを供給するステップを含む、条項３７に記載の方法。
【０１８１】
前述の説明は、例示および説明を目的として提供されている。網羅的であることも本開示を制限することも意図されていない。特定の構成の個別の要素または特徴は、一般的に、その特定の構成に限定されないが、該当するときには、特に図示または説明されていないとしても、入れ替えることが可能であり、選択された構成で使用することができる。またそれらを、様々な形に変更することも可能である。そのような変更形態は、本開示からの逸脱とみなされるべきでなく、そのようなすべての修正形態は、本開示の範囲内に含まれることが意図されている。
【符号の説明】
【０１８２】
１０  フットウェア
１０ａ  フットウェア
１０ｂ  フットウェア
１０ｃ  フットウェア
１０ｄ  フットウェア
１０ｅ  フットウェア
１０ｆ  フットウェア
１０ｇ  フットウェア
１０ｈ  フットウェア
１０ｉ  フットウェア
１０ｊ  フットウェア
１０ｋ  フットウェア
１０ｌ  フットウェア
１０ｍ  フットウェア
１０ｎ  フットウェア
１０ｐ  フットウェア
１０ｑ  フットウェア
１０ｒ  フットウェア
１０ｓ  フットウェア
１２  前足部
１４  中足部
１６  かかと部
１８  外側
２０  内側
１００  アッパー
１０２  内部空隙
１０４  くるぶし開口部
１０６  ファスナー
１１０  ベロ部
２００  ソール構造
２００ａ  ソール構造
２００ｂ  ソール構造
２００ｃ  ソール構造
２００ｄ  ソール構造
２００ｅ  ソール構造
２００ｆ  ソール構造
２００ｇ  ソール構造
２００ｈ  ソール構造
２００ｉ  ソール構造
２００ｊ  ソール構造
２００ｋ  ソール構造
２００ｌ  ソール構造
２００ｍ  ソール構造
２００ｎ  ソール構造
２００ｐ  ソール構造
２００ｑ  ソール構造
２００ｒ  ソール構造
２００ｓ  ソール構造
２１０  アウトソール
２１０ａ  アウトソール
２１０ｂ  アウトソール
２１０ｃ  アウトソール
２１０ｄ  アウトソール
２１０ｅ  アウトソール
２１０ｆ  アウトソール
２１０ｇ  アウトソール
２１０ｈ  アウトソール
２１０ｉ  アウトソール
２１０ｊ  アウトソール
２１０ｋ  アウトソール
２１０ｌ  アウトソール
２１０ｑ  アウトソール
２１０ｒ  アウトソール
２１０ｓ  アウトソール
２１２  地面係合表面
２１３  空隙
２１４  内面
２１４ａ  内面
２１４ｂ  内面
２１４ｃ  内面
２１４ｄ  内面
２１４ｅ  内面
２１４ｆ  内面
２１４ｇ  内面
２１４ｈ  内面
２１４ｉ  内面
２１４ｊ  内面
２１４ｋ  内面
２１４ｌ  内面
２１４ｑ  内面
２１４ｒ  内面
２１４ｓ  内面
２２０  フットベッド
２２０ａ  フットベッド
２２０ｂ  フットベッド
２２０ｃ  フットベッド
２２０ｄ  フットベッド
２２０ｅ  フットベッド
２２０ｆ  フットベッド
２２０ｇ  フットベッド
２２０ｈ  フットベッド
２２０ｉ  フットベッド
２２０ｊ  フットベッド
２２０ｋ  フットベッド
２２０ｌ  フットベッド
２２０ｑ  フットベッド
２２０ｒ  フットベッド
２２０ｓ  フットベッド
２２２  底面
２２２ａ  底面
２２２ｂ  底面
２２２ｃ  底面
２２２ｄ  底面
２２２ｅ  底面
２２２ｆ  底面
２２２ｇ  底面
２２２ｈ  底面
２２２ｉ  底面
２２２ｊ  底面
２２２ｋ  底面
２２２ｌ  底面
２２２ｑ  底面
２２２ｒ  底面
２２２ｓ  底面
２２４  頂面
２２４ａ  頂面
２２４ｂ  頂面
２２４ｃ  頂面
２２４ｄ  頂面
２２４ｅ  頂面
２２４ｆ  頂面
２２４ｇ  頂面
２２４ｈ  頂面
２２４ｉ  頂面
２２４ｊ  頂面
２２４ｋ  頂面
２２４ｌ  頂面
２２４ｑ  頂面
２２４ｒ  頂面
２２４ｓ  頂面
２２６  縫い目
２２８  インソール
２２８ｈ  インソール
２２８ｉ  インソール
２２８ｊ  インソール
２２８ｋ  インソール
２２８ｌ  インソール
２３０  側壁
２３２ｈ  底面
２３２ｉ  底面
２３２ｊ  底面
２３２ｋ  底面
２３２ｌ  底面
２３４ｈ  頂面
２３４ｉ  頂面
２３４ｊ  頂面
２３４ｋ  頂面
２３４ｌ  頂面
２３８ｈ  インソール
２３８ｉ  インソール
２４０  空洞
２４０ａ  空洞
２４０ｂ  空洞
２４０ｃ  空洞
２４０ｄ  空洞
２４０ｅ  空洞
２４０ｆ  空洞
２４０ｇ  空洞
２４０ｈ  空洞
２４０ｉ  空洞
２４０ｊ  空洞
２４０ｋ  空洞
２４０ｌ  空洞
２４０ｑ  空洞
２４０ｒ  空洞
２４０ｓ  空洞
２５０  ミッドソール
２５０ａ  ミッドソール
２５０ｂ  ミッドソール
２５０ｃ  ミッドソール
２５０ｄ  ミッドソール
２５０ｅ  ミッドソール
２５０ｆ  ミッドソール
２５０ｇ  ミッドソール
２５０ｉ  ミッドソール
２５０ｌ  ミッドソール
２５０ｑ  ミッドソール
２５０ｒ  ミッドソール
２５０ｓ  ミッドソール
２５２  底面
２５２ａ  底面
２５２ｂ  底面
２５２ｃ  底面
２５２ｑ  底面
２５４  頂面
２５４ａ  頂面
２５４ｂ  頂面
２５４ｃ  頂面
２５４ｑ  頂面
３００  壁
３００ａ  壁
３００ｂ  壁
３００ｃ  壁
３００ｄ  壁
３００ｅ  壁
３００ｆ  壁
３００ｇ  壁
３０２  壁
３０２ｄ  壁
３０２ｅ  壁
３０２ｆ  壁
３０２ｇ  壁
３０４ｄ  壁
３０４ｅ  壁
３０４ｆ  壁
３０４ｇ  壁
３０６ｇ  壁
３１０  チャンネル
３１０ａ  チャンネル
３１０ｂ  チャンネル
３１０ｃ  チャンネル
３１０ｄ  チャンネル
３１０ｅ  チャンネル
３１０ｆ  チャンネル
３１０ｇ  チャンネル
３１２、３１４  対応する基部
３１２ｄ〜ｆ  対応する基部
３１４ｄ〜ｆ  対応する基部
３２０  チャンネル
３２０ｄ  チャンネル
３２０ｅ  チャンネル
３２０ｆ  チャンネル
３２０ｇ  チャンネル
３２２、３２４  対応する遠位端
３２２ｄ〜ｆ  対応する遠位端
３２４ｄ〜ｆ  対応する丸められた遠位端
３３０ｇ  内側前足部チャンネル
３４０ｄ  チャンネル
３４０ｅ  チャンネル
３４０ｆ  チャンネル
３４０ｇ  外側前足部チャンネル
３５０  粒子状物質
３８０  壁またはチューブ
３８０ｒ  壁またはチューブ
３８０ｓ  壁またはチューブ
３８２  チャンネル
３８２ｒ  チャンネル
３８２ｓ  チャンネル
３９０  第３の壁
３９２  下側空洞部分
３９４  上側空洞部分
４００  壁
４００ｉ  壁
４００ｊ  壁
４００ｋ  壁
４００ｌ  壁
４０２  壁
４０４  壁
４１０  チャンネル
４１０ｉ  チャンネル
４１０ｊ  チャンネル
４１０ｋ  チャンネル
４１０ｌ  チャンネル
４２０  チャンネル
４４０  チャンネル
１４０２  矢印
１４０４  矢印
１９００  ポリマー発泡体
２０１０  凹部
【図１】
2020114534.tif 000003
【図２】
2020114534.tif 000004
【図３】
2020114534.tif 000005
【図４】
2020114534.tif 000006
【図５】
2020114534.tif 000007
【図６】
2020114534.tif 000008
【図７】
2020114534.tif 000009
【図８】
2020114534.tif 000010
【図９】
2020114534.tif 000011
【図１０】
2020114534.tif 000012
【図１１】
2020114534.tif 000013
【図１２】
2020114534.tif 000014
【図１３】
2020114534.tif 000015
【図１４】
2020114534.tif 000016
【図１５】
2020114534.tif 000017
【図１６】
2020114534.tif 000018
【図１７】
2020114534.tif 000019
【図１８】
2020114534.tif 000020
【図１９】
2020114534.tif 000021
【図２０】
2020114534.tif 000022
【図２１】
2020114534.tif 000023
【図２２】
2020114534.tif 000024
【図２３】
2020114534.tif 000025
【図２４】
2020114534.tif 000026
【図２５】
2020114534.tif 000027
【図２６】
2020114534.tif 000028
【図２７】
2020114534.tif 000029
【図２８】
2020114534.tif 000030
【図２９】
2020114534.tif 000031
【図３０】
2020114534.tif 000032
【図３１】
2020114534.tif 000033
【図３２】
2020114534.tif 000034
【図３３】
2020114534.tif 000035
【図３４】
2020114534.tif 000036
【図３５】
2020114534.tif 000037
【図３６】
2020114534.tif 000038
【図３７】
2020114534.tif 000039
【図３８】
2020114534.tif 000040
【図３９】
2020114534.tif 000041
【図４０】
2020114534.tif 000042
【図４１】
2020114534.tif 000043
【図４２】
2020114534.tif 000044
【図４３】
2020114534.tif 000045
【図４４】
2020114534.tif 000046
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
アッパーと、
前記アッパーに取り付けられ、地面係合表面を備えるアウトソールと、
ミッドソールであって、前記アッパーと前記アウトソールとの間に配設されるとともに、底面、頂面、および前記底面と前記頂面との間に延在し、かつ前記ミッドソールの内側から前記ミッドソールの外側まで延在する一連のチャンネルを画成する一連の壁を備えるミッドソールにおいて、前記一連のチャンネルが互いに分離された隣接するチャンネルの対を備え、各チャンネルが一定量の粒子状物質を中に受け入れ、隣接するチャンネルの各対が、第１の壁の対と前記底面との間に画成される第１のチャンネルと、第２の壁の対と前記頂面との間に画成される第２のチャンネルとを備える、ミッドソールと、
を備えるフットウェア。
【請求項２】
前記粒子状物質は、各チャンネルの長手方向軸に沿って前記内側と前記外側との間で移動することを可能とされる、請求項１に記載のフットウェア。
【請求項３】
前記粒子状物質は、前記壁によって前記ミッドソールの長手方向軸に沿った方向にチャンネル間を移動することを制限される、請求項１に記載のフットウェア。
【請求項４】
前記チャンネルは略円形の断面および略三角形の断面の一方を備える、請求項１から３のいずれか一項に記載のフットウェア。
【請求項５】
前記チャンネルの各々は前記ミッドソールの長手方向軸に対して角度をなして配設される長手方向軸に沿って延在する、請求項１から４のいずれか一項に記載のフットウェア。
【請求項６】
前記チャンネルは互いに重なり合う、請求項１から５のいずれか一項に記載のフットウェア。
【請求項７】
前記粒子状物質は発泡ビーズを含む、請求項１から６のいずれか一項に記載のフットウェア。
【請求項８】
前記発泡ビーズは略球形の形状を備える、請求項７に記載のフットウェア。
【請求項９】
前記発泡ビーズは略同じサイズおよび形状を備える、請求項７に記載のフットウェア。
【請求項１０】
前記発泡ビーズは、異なるサイズおよび形状のうちの少なくとも一方を備える、請求項７に記載のフットウェア。
【請求項１１】
アッパーと、
前記アッパーに取り付けられ、地面係合表面を備えるアウトソールと、
ミッドソールであって、前記アッパーと前記アウトソールとの間に配設されるとともに、底面、頂面、および前記底面と前記頂面との間に延在し、かつ前記ミッドソールの内側から前記ミッドソールの外側まで延在する一連のチャンネルを画成する一連の壁を備え、前記一連のチャンネルは前記ミッドソールの長手方向軸に沿った方向において互いに重なり合う隣接するチャンネルの対を備え、各チャンネルは一定量の粒子状物質を中に受け入れ、隣接するチャンネルの各対が、第１の壁の対と前記底面との間に画成される第１のチャネルと、第２の壁の対と前記頂面との間に画成される第２のチャネルとを備える、ミッドソールと、
を備えるフットウェア。
【請求項１２】
前記粒子状物質は、各チャンネルの長手方向軸に沿って前記内側と前記外側との間の方向に移動することを可能とされる、請求項１１に記載のフットウェア。
【請求項１３】
前記粒子状物質は、前記壁によって前記ミッドソールの前記長手方向軸に沿った方向にチャンネル間を移動することを制限される、請求項１１に記載のフットウェア。
【請求項１４】
前記チャンネルは略三角形の断面を備える、請求項１１から１３のいずれか一項に記載のフットウェア。
【請求項１５】
前記一連のチャンネルのうちの少なくとも１つは、前記一連のチャンネルの対と重なり合う、請求項１１から１３のいずれか一項に記載のフットウェア。
【請求項１６】
前記チャンネルの各々は、前記ミッドソールの前記長手方向軸に対して角度をなして配設される長手方向軸に沿って延在する、請求項１１から１５のいずれか一項に記載のフットウェア。
【請求項１７】
前記粒子状物質は発泡ビーズを含む、請求項１１から１６のいずれか一項に記載のフットウェア。
【請求項１８】
前記発泡ビーズは略球形の形状を備える、請求項１７に記載のフットウェア。
【請求項１９】
前記発泡ビーズは略同じサイズおよび形状を備える、請求項１７に記載のフットウェア。
【請求項２０】
前記発泡ビーズは、異なるサイズおよび形状のうちの少なくとも一方を備える、請求項１７に記載のフットウェア。
【請求項２１】
アッパーと、
アウトソールであって、前記アッパーに取り付けられるとともに、地面係合表面と、前記アウトソールの前記地面係合表面の反対側に配設されている内面と、を備えるアウトソールと、
前記アッパーと前記アウトソールとの間に配設されるとともに、前記アッパーに対向する頂面と、前記アウトソールの前記内面に対向する底面と、を備える、フットベッドと、
前記アッパーと前記アウトソールとの間に配設されるとともに、前記アウトソールの前記内面と前記フットベッドの前記底面との間に延在する繊維を備え、前記繊維が、ミッドソールの内側から前記ミッドソールの外側まで延在する第１の一連のチャンネルを画成するように連携し、前記第１の一連のチャンネルが対応するチャンネルの対を備え、チャンネルの各対が、前記繊維と前記アウトソールの前記内面との間に画成される第１のチャンネルと、前記繊維と前記フットベッドの前記底面との間に画成される第２のチャンネルと備える、ミッドソールと、
前記第１の一連のチャンネル内に受け入れられる一定量の粒子状物質と、
を備えるフットウェア。
【請求項２２】
前記一定量の粒子状物質は、前記第１の一連のチャンネルのうちの隣接するチャンネル間を、前記繊維のうちの隣接する繊維間に配置される空隙を通して前記ミッドソールの長手方向軸に沿った方向に移動するように動作可能である、請求項２１に記載のフットウェア。
【請求項２３】
前記粒子状物質は、前記第１の一連のチャンネルの各々の長手方向軸に沿って前記内側と前記外側との間で移動することを可能とされる、請求項２１に記載のフットウェア。
【請求項２４】
前記粒子状物質は、前記繊維によって、隣接するチャンネル間を前記ミッドソールの長手方向軸に沿った方向に自由に移動することを制限される、請求項２１に記載のフットウェア。
【請求項２５】
前記チャンネルは略矩形の断面および略三角形の断面の一方を備える、請求項２１から２４のいずれか一項に記載のフットウェア。
【請求項２６】
前記チャンネルの各々は前記ミッドソールの長手方向軸に対して角度をなして配設される長手方向軸に沿って延在する、請求項２１から２５のいずれか一項に記載のフットウェア。
【請求項２７】
前記チャンネルは互いに重なり合う、請求項２１から２４のいずれか一項に記載のフットウェア。
【請求項２８】
前記粒子状物質は発泡ビーズを含む、請求項２１から２７のいずれか一項に記載のフットウェア。
【請求項２９】
前記発泡ビーズは略球形の形状を備える、請求項２８に記載のフットウェア。
【請求項３０】
前記発泡ビーズはほぼ同じサイズおよび形状を備える、請求項２８に記載のフットウェア。
【請求項３１】
前記発泡ビーズは、異なるサイズおよび形状のうちの少なくとも一方を備える、請求項２８に記載のフットウェア。
【請求項３２】
前記第１の一連のチャンネルのうちの１つの中に配設され、前記ミッドソールの長手方向軸に略垂直に延在する壁をさらに備え、前記壁は前記粒子状物質が中を通過することを妨げる、請求項２１に記載のフットウェア。
【請求項３３】
フットウェア製品を製作する方法であって、
フットベッドとアウトソールとの間に空洞を設けるステップと、
前記空洞に、前記空洞内に第１の一連のチャンネルを画成する第１の一連の壁を設けるステップであって、前記第１の一連のチャンネルは前記空洞の内側から前記空洞の外側まで延在するとともに、前記空洞の長手方向軸に沿った方向において互いに重なり合い、前記第１の一連のチャンネルが対応するチャンネルの対を備え、チャンネルの各対が、前記壁と前記空洞の頂面との間に画成される第１のチャンネルと、前記壁と前記空洞の底面との間に画成される第２のチャンネルとを備える、ステップと、
前記第１の一連のチャンネルに一定量の粒子状物質を供給するステップと、
を含む方法。
【請求項３４】
前記第１の一連のチャンネルを画成するステップは、前記第１の一連のチャンネルに略円形の断面を設けるステップを含む、請求項３３に記載の方法。
【請求項３５】
前記第１の一連のチャンネルを画成するステップは、前記第１の一連のチャンネルに略三角形の断面を設けるステップを含む、請求項３３に記載の方法。
【請求項３６】
前記空洞の前記長手方向軸に対して角度をなして前記チャンネルを位置決めするステップをさらに含む、請求項３３から３５のいずれか一項に記載の方法。
【請求項３７】
前記第１の一連のチャンネルに一定量の粒子状物質を供給するステップは、一定量の発泡ビーズを供給するステップを含む、請求項３３から３６のいずれか一項に記載の方法。
【請求項３８】
前記第１の一連のチャンネルに前記一定量の発泡ビーズを供給するステップは、前記第１の一連のチャンネルに略球状の形状を有する一定量の発泡ビーズを供給するステップを含む、請求項３７に記載の方法。
【請求項３９】
前記第１の一連のチャンネルに前記一定量の発泡ビーズを供給するステップは、前記第１の一連のチャンネルに異なるサイズおよび形状のうちの少なくとも一方を備える一定量の発泡ビーズを供給するステップを含む、請求項３７に記載の方法。
【外国語明細書】
2020114534000001.pdf